(57)【特許請求の範囲】
【請求項１】
絶縁性を有するボディと、
前記ボディに保持された全長が略同じ第１、第２コンタクトとを備えており、
前記第１コンタクトは、
接点部と、
前記接点部に連続しており且つ第１方向に延びた第１直線部と、
前記第１直線部に連続しており且つ前記第１方向に直交する第２方向の成分を含む方向に折り曲げられた第１折り曲げ部と、
前記第１折り曲げ部に連続しており且つ前記第２方向の成分を含む方向に延びた中間部と、
前記中間部に連続しており且つ前記第１、第２方向に直交する第３方向の成分を含む方向に折り曲げられた第２折り曲げ部と、
前記第２折り曲げ部に連続しており且つ前記第３方向の成分を含む方向に延びた第２直線部と、
前記第２直線部に連続するテール部とを有しており、
前記第２コンタクトは、
前記第１コンタクトの前記接点部に前記第３方向に間隔をあけて配置された接点部と、
当該第２コンタクトの前記接点部に連続し、前記第１方向に延びており、前記第１コンタクトの前記第１直線部に前記第３方向に間隔をあけて配置されており且つ前記第１コンタクトの前記第１直線部の長さ寸法よりも大きい長さ寸法を有する第１直線部と、
当該第２コンタクトの前記第１直線部に連続しており且つ前記第１コンタクトの前記第１折り曲げ部と同方向に折り曲げられた第１折り曲げ部と、
当該第２コンタクトの前記第１折り曲げ部に連続しており且つ前記第１コンタクトの前記中間部と同方向に延びた中間部と、
当該第２コンタクトの前記中間部に連続しており且つ前記第１コンタクトの前記第２折り曲げ部と同方向に折り曲げられた第２折り曲げ部と、
当該第２コンタクトの前記第２折り曲げ部に連続し前記第１コンタクトの前記第２直線部に沿って延びており且つ前記第１コンタクトの前記第２直線部の長さ寸法よりも小さい長さ寸法を有する第２直線部と、
当該第２コンタクトの前記第２直線部に連続しており且つ前記第１コンタクトの前記テール部に前記第１方向に間隔をあけて配置されたテール部とを有するコネクタ。
【請求項２】
絶縁性を有するボディと、
前記ボディに保持された全長が略同じ第１、第２コンタクトとを備えており、
前記第１コンタクトは、
接点部と、
前記接点部に連続しており且つ第１方向に延びた第１直線部と、
前記第１直線部に連続しており且つ前記第１方向に直交する第２方向の成分を含む方向に湾曲した第１湾曲部と、
前記第１湾曲部に連続しており且つ前記第２方向の成分を含む方向に延びた中間部と、
前記中間部に連続しており且つ前記第１、第２方向に直交する第３方向の成分を含む方向に湾曲した第２湾曲部と、
前記第２湾曲部に連続しており且つ前記第３方向の成分を含む方向に延びた第２直線部と、
前記第２直線部に連続するテール部とを有しており、
前記第２コンタクトは、
前記第１コンタクトの前記接点部に前記第３方向に間隔をあけて配置された接点部と、
当該第２コンタクトの前記接点部に連続し、前記第１方向に延びており、前記第１コンタクトの前記第１直線部に前記第３方向に間隔をあけて配置されており且つ前記第１コンタクトの前記第１直線部の長さ寸法よりも大きい長さ寸法を有する第１直線部と、
当該第２コンタクトの前記第１直線部に連続しており且つ前記第１コンタクトの前記第１湾曲部と同方向に湾曲した第１湾曲部と、
当該第２コンタクトの前記第１湾曲部に連続しており且つ前記第１コンタクトの前記中間部と同方向に延びた中間部と、
当該第２コンタクトの前記中間部に連続しており且つ前記第１コンタクトの前記第２湾曲部と同方向に湾曲した第２湾曲部と、
当該第２コンタクトの前記第２湾曲部に連続し、前記第１コンタクトの前記第２直線部に沿って延びており且つ前記第１コンタクトの前記第２直線部の長さ寸法よりも小さい長さ寸法を有する第２直線部と、
当該第２コンタクトの前記第２直線部に連続しており且つ前記第１コンタクトの前記テール部に前記第１方向に間隔をあけて配置されたテール部とを有するコネクタ。
【請求項３】
請求項１又は２記載のコネクタにおいて、
前記第２コンタクトの前記第２直線部の長さ寸法は、前記第１コンタクトの前記第１直線部の長さ寸法と前記第２コンタクトの前記第１直線部の長さ寸法との差と略同じ寸法分、前記第１コンタクトの前記第２直線部の長さ寸法よりも小さいコネクタ。
【請求項４】
請求項１〜３の何れかに記載のコネクタにおいて、
前記ボディに保持されており且つ前記第１、第２コンタクトの前記第１直線部に前記第２方向又は前記第２方向の反対方向に間隔をあけて略平行に配置された第３コンタクトを更に備えたコネクタ。
【請求項５】
絶縁性を有するボディと、
前記ボディに保持された全長が略同じ第１、第２コンタクトと、
前記ボディに保持された第３コンタクトとを備えており、
前記第１コンタクトは、
接点部と、
前記接点部に連続しており且つ第１方向に延びた第１直線部と、
前記第１直線部に連続しており且つ前記第１方向に直交する第２方向の成分を含む方向に折り曲げられた第１折り曲げ部と、
前記第１折り曲げ部に連続する中間部と、
前記中間部に連続しており且つ前記第１、第２方向に直交する第３方向の成分を含む方向に折り曲げられた第２折り曲げ部と、
前記第２折り曲げ部に連続しており且つ前記第３方向の成分を含む方向に延びた第２直線部と、
前記第２直線部に連続するテール部とを有しており、
前記第２コンタクトは、
前記第１コンタクトの前記接点部に前記第３方向に間隔をあけて配置された接点部と、
当該第２コンタクトの前記接点部に連続し、前記第１方向に延びており且つ前記第１コンタクトの前記第１直線部の長さ寸法よりも大きい長さ寸法を有する第１直線部と、
当該第２コンタクトの前記第１直線部に連続しており且つ前記第１コンタクトの前記第１折り曲げ部と同方向に折り曲げられた第１折り曲げ部と、
当該第２コンタクトの前記第１折り曲げ部に連続する中間部と、
当該第２コンタクトの前記中間部に連続しており且つ前記第１コンタクトの前記第２折り曲げ部と同方向に折り曲げられた第２折り曲げ部と、
当該第２コンタクトの前記第２折り曲げ部に連続し前記第１コンタクトの前記第２直線部に沿って延びており且つ前記第１コンタクトの前記第２直線部の長さ寸法よりも小さい長さ寸法を有する第２直線部と、
当該第２コンタクトの前記第２直線部に連続しており且つ前記第１コンタクトの前記テール部に前記第１方向に間隔をあけて配置されたテール部とを有しており、
前記第３コンタクトは、前記第１、第２コンタクトの前記第１直線部と前記第１、第２コンタクトの前記第２直線部との間の領域に配置され、且つ前記第１、第２コンタクトの前記第１直線部に前記第２方向に間隔をあけて略平行に配置されているコネクタ。
【請求項６】
絶縁性を有するボディと、
前記ボディに保持された全長が略同じ第１、第２コンタクトと、
前記ボディに保持された第３コンタクトとを備えており、
前記第１コンタクトは、
接点部と、
前記接点部に連続しており且つ第１方向に延びた第１直線部と、
前記第１直線部に連続しており且つ前記第１方向に直交する第２方向の成分を含む方向に湾曲した第１湾曲部と、
前記第１湾曲部に連続する中間部と、
前記中間部に連続しており且つ前記第１、第２方向に直交する第３方向の成分を含む方向に湾曲した第２湾曲部と、
前記第２湾曲部に連続しており且つ前記第３方向の成分を含む方向に延びた第２直線部と、
前記第２直線部に連続するテール部とを有しており、
前記第２コンタクトは、
前記第１コンタクトの前記接点部に前記第３方向に間隔をあけて配置された接点部と、
当該第２コンタクトの前記接点部に連続し、前記第１方向に延びており且つ前記第１コンタクトの前記第１直線部の長さ寸法よりも大きい長さ寸法を有する第１直線部と、
当該第２コンタクトの前記第１直線部に連続しており且つ前記第１コンタクトの前記第１湾曲部と同方向に湾曲した第１湾曲部と、
当該第２コンタクトの前記第１湾曲部に連続する中間部と、
当該第２コンタクトの前記中間部に連続しており且つ前記第１コンタクトの前記第２湾曲部と同方向に湾曲した第２湾曲部と、
当該第２コンタクトの前記第２湾曲部に連続し、前記第１コンタクトの前記第２直線部に沿って延びており且つ前記第１コンタクトの前記第２直線部の長さ寸法よりも小さい長さ寸法を有する第２直線部と、
当該第２コンタクトの前記第２直線部に連続しており且つ前記第１コンタクトの前記テール部に前記第１方向に間隔をあけて配置されたテール部とを有しており、
前記第３コンタクトは、前記第１、第２コンタクトの前記第１直線部と前記第１、第２コンタクトの前記第２直線部との間の領域に配置され、且つ前記第１、第２コンタクトの前記第１直線部に前記第２方向に間隔をあけて略平行に配置されているコネクタ。
【請求項７】
請求項５又は６記載のコネクタにおいて、
前記第３コンタクトは、接点部と、
当該第３コンタクトの前記接点部に連続し、前記第１方向に延びており且つ前記第１、第２コンタクトの前記第１直線部に対して前記第２方向に間隔をあけて配置された直線部と、
前記直線部に連続し、斜めに傾斜しており且つ前記第１、第２コンタクトの前記第１直線部と前記第１、第２コンタクトの前記第２直線部との間に配置された傾斜部と、
前記傾斜部に連続するテール部とを有するコネクタ。
【請求項８】
請求項７記載のコネクタにおいて、
前記第３コンタクトの前記傾斜部は、前記第１、第２コンタクトの前記中間部に対して略平行に配置されているコネクタ。
【請求項９】
請求項１又は２記載のコネクタにおいて、
前記ボディは、前記第１、第２コンタクトの前記接点部及び前記第１直線部を保持する第１ボディと、
前記第１、第２コンタクトの前記第２直線部を保持する第２ボディとを有しており、
前記第２ボディは、前記第１ボディと別体であるコネクタ。
【請求項１０】
請求項７記載のコネクタにおいて、
前記ボディは、前記第１、第２コンタクトの前記接点部及び前記第１直線部を保持する第１ボディと、
前記第１、第２コンタクトの前記第２直線部を保持する第２ボディと、
前記第３コンタクトの前記傾斜部を保持しており且つ前記第１、第２ボディ間に配置された第３ボディとを有するコネクタ。
【請求項１１】
請求項１〜８の何れかに記載のコネクタにおいて、
前記ボディを囲う導電性を有するシェルを更に備えており、
前記第１、第２コンタクトの前記中間部は前記ボディから露出しており、
前記シェルは、前記第１、第２コンタクトの前記中間部の近傍に配置されたインピーダンス調整部を有するコネクタ。
【請求項１２】
請求項１〜８の何れかに記載のコネクタにおいて、
前記ボディを囲う導電性を有するシェルと、
前記第１、第２コンタクトの前記ボディから露出した前記中間部と前記シェルとの間に設けられた誘電体とを更に備えたコネクタ。
【請求項１３】
請求項７記載のコネクタにおいて、
前記第１、第２コンタクトを有し且つ前記第３方向に間隔をあけて配置された第１、第２差動ペアと、
前記第１、第２差動ペア間に配置された第４コンタクトとを更に備えており、
複数の前記第３コンタクトは、上記領域において前記直線部が前記第１差動ペアの前記第１、第２コンタクトの前記第１直線部の間、前記第２差動ペアの前記第１、第２コンタクトの前記第１直線部の間、前記第１差動ペアの前記第２コンタクトの前記第１直線部と前記第４コンタクトとの間及び前記第２差動ペアの前記第１コンタクトの前記第１直線部と前記第４コンタクトとの間に位置するように配置されているコネクタ。
【請求項１４】
請求項１３記載のコネクタにおいて、
前記第１、第２コンタクトの前記接点部及び前記第１直線部は、前記ボディに固定されており、
前記第３コンタクトの前記傾斜部が前記ボディに固定されており、
前記第３コンタクトの前記直線部が前記第１、第２コンタクトの前記第１直線部側に弾性変形可能であるコネクタ。
【請求項１５】
請求項１記載のコネクタにおいて、
前記第１折り曲げ部は、前記第１、第２及び第３方向の間の方向に折り曲げられており、
前記中間部は、前記第１、第２及び第３方向の間の方向に延びているコネクタ。
【請求項１６】
請求項２記載のコネクタにおいて、
前記第１湾曲部は、前記第１、第２及び第３方向の間の方向に湾曲しており、
前記中間部は、前記第１、第２及び第３方向の間の方向に延びているコネクタ。
【発明の詳細な説明】
【技術分野】
【０００１】
本発明はコネクタに関する。
【背景技術】
【０００２】
この種のコネクタとしては、差動ペアを構成する略Ｌ字状の第１、第２コンタクトを有するものがある。第１、第２コンタクトは、接点部と、前記接点部に連続する第１直線部と、前記第１直線部に連続し且つ前記第１直線部に直交する方向に延びた第２直線部と、前記第２直線部に連続するテール部とを有している。第２コンタクトの第１直線部の長さ寸法は、第１コンタクトの第１直線部の長さ寸法よりも長い。この第２コンタクトの第１直線部の中間部には折り曲げ部が設けられ、第１コンタクトの第２直線部との干渉が避けられている。第１コンタクトの第２直線部は、第２コンタクトの第１直線部の長さ寸法と第１コンタクトの第１直線部の長さ寸法との差の寸法分、第２コンタクトの第２直線部よりも長い。このような構成により、第１、第２コンタクトの全長が略同じにされ、第１、第２コンタクト間にスキューが生じないようにしている（特許文献１参照）。
【先行技術文献】
【特許文献】
【０００３】
【特許文献１】特開２０１１−１３８７７５号公報
【発明の概要】
【発明が解決しようとする課題】
【０００４】
ところが、第２コンタクトの第１直線部は、第１コンタクトの第２直線部に立体的に交差しているので、第１、第２コンタクトの形状が大きく相違する。このため、第１、第２コンタクトを一度にプレス成形し難く、プレス成形するための金型が複数必要になる。これが上記コネクタのコスト高の一因となっていた。
【０００５】
本発明は、上記事情に鑑みて創案されたものであって、その目的とするところは、第１、第２コンタクト間のスキューの発生を低減でき且つ低コスト化を図ることができるコネクタを提供することにある。
【課題を解決するための手段】
【０００６】
上記課題を解決するために、本発明の第１コネクタは、絶縁性を有するボディと、前記ボディに保持された全長が略同じ第１、第２コンタクトとを備えている。前記第１コンタクトは、接点部と、前記接点部に連続しており且つ第１方向に延びた第１直線部と、前記第１直線部に連続しており且つ前記第１方向に直交する第２方向の成分を含む方向に折り曲げられた第１折り曲げ部と、前記第１折り曲げ部に連続しており且つ前記第２方向の成分を含む方向に延びた中間部と、前記中間部に連続しており且つ前記第１、第２方向に直交する第３方向の成分を含む方向に折り曲げられた第２折り曲げ部と、前記第２折り曲げ部に連続しており且つ前記第３方向の成分を含む方向に延びた第２直線部と、前記第２直線部に連続するテール部とを有している。前記第２コンタクトは、前記第１コンタクトの前記接点部に前記第３方向に間隔をあけて配置された接点部と、当該第２コンタクトの前記接点部に連続し、前記第１方向に延びており、前記第１コンタクトの前記第１直線部に前記第３方向に間隔をあけて配置されており且つ前記第１コンタクトの前記第１直線部の長さ寸法よりも大きい長さ寸法を有する第１直線部と、当該第２コンタクトの前記第１直線部に連続しており且つ前記第１コンタクトの前記第１折り曲げ部と同方向に折り曲げられた第１折り曲げ部と、当該第２コンタクトの前記第１折り曲げ部に連続しており且つ前記第１コンタクトの前記中間部と同方向に延びた中間部と、当該第２コンタクトの前記中間部に連続しており且つ前記第１コンタクトの前記第２折り曲げ部と同方向に折り曲げられた第２折り曲げ部と、当該第２コンタクトの前記第２折り曲げ部に連続し前記第１コンタクトの前記第２直線部に沿って延びており且つ前記第１コンタクトの前記第２直線部の長さ寸法よりも小さい長さ寸法を有する第２直線部と、当該第２コンタクトの前記第２直線部に連続しており且つ前記第１コンタクトの前記テール部に前記第１方向に間隔をあけて配置されたテール部とを有している。
【０００７】
このような発明の態様による場合、第１、第２コンタクトの接点部が第３方向に間隔をあけて配置され、第１、第２コンタクトの第１直線部が第１方向に延びている。第１、第２コンタクトの第１折り曲げ部が第２方向の成分を含む方向に折り曲げられ、第１、第２コンタクトの第２折り曲げ部が第３方向の成分を含む方向に折り曲げられている。第１、第２コンタクトの中間部は、第１、第２折り曲げ部の間に設けられている。第１、第２コンタクトの第２直線部は、第３方向の成分を含む方向に延びており、第１、第２コンタクトのテール部は第１方向に間隔をあけて配置されている。第２コンタクトの第１直線部の長さ寸法が第１コンタクトの第１直線部の長さ寸法よりも大きく、第２コンタクトの第２直線部の長さ寸法が第１コンタクトの第２直線部の長さ寸法よりも小さい。このように第１、第２コンタクト全体が略平行に配置されるので、第１、第２コンタクト間のスキューの発生を低減できる。また、第１、第２コンタクトは、全体が略平行な形状であるので、一度にプレス成形により作成することができる。よって、第１、第２コンタクトを作成するための金型数の低減を図ることができ、その結果、上記コネクタの低コスト化を図ることができる。更に、第１、第２コンタクト全体が略平行に配置されるので、第１、第２コンタクト間のインピーダンス調整を容易に図ることができる。
【０００８】
本発明の第２コネクタは、絶縁性を有するボディと、前記ボディに保持された全長が略同じ第１、第２コンタクトとを備えている。前記第１コンタクトは、接点部と、前記接点部に連続しており且つ第１方向に延びた第１直線部と、前記第１直線部に連続しており且つ前記第１方向に直交する第２方向の成分を含む方向に湾曲した第１湾曲部と、前記第１湾曲部に連続しており且つ前記第２方向の成分を含む方向に延びた中間部と、前記中間部に連続しており且つ前記第１、第２方向に直交する第３方向の成分を含む方向に湾曲した第２湾曲部と、前記第２湾曲部に連続しており且つ前記第３方向の成分を含む方向に延びた第２直線部と、前記第２直線部に連続するテール部とを有している。前記第２コンタクトは、前記第１コンタクトの前記接点部に前記第３方向に間隔をあけて配置された接点部と、当該第２コンタクトの前記接点部に連続し、前記第１方向に延びており、前記第１コンタクトの前記第１直線部に前記第３方向に間隔をあけて配置されており且つ前記第１コンタクトの前記第１直線部の長さ寸法よりも大きい長さ寸法を有する第１直線部と、当該第２コンタクトの前記第１直線部に連続しており且つ前記第１コンタクトの前記第１湾曲部と同方向に湾曲した第１湾曲部と、当該第２コンタクトの前記第１湾曲部に連続しており且つ前記第１コンタクトの前記中間部と同方向に延びた中間部と、当該第２コンタクトの前記中間部に連続しており且つ前記第１コンタクトの前記第２湾曲部と同方向に湾曲した第２湾曲部と、当該第２コンタクトの前記第２湾曲部に連続し、前記第１コンタクトの前記第２直線部に沿って延びており且つ前記第１コンタクトの前記第２直線部の長さ寸法よりも小さい長さ寸法を有する第２直線部と、当該第２コンタクトの前記第２直線部に連続しており且つ前記第１コンタクトの前記テール部に前記第１方向に間隔をあけて配置されたテール部とを有している。
【０００９】
このような発明の態様による場合、第１、第２コンタクトの接点部が第３方向に間隔をあけて配置され、第１、第２コンタクトの第１直線部が第１方向に延びている。第１、第２コンタクトの第１湾曲部が第２方向の成分を含む方向に湾曲し、第１、第２コンタクトの第２湾曲部が第３方向の成分を含む方向に湾曲している。第１、第２コンタクトの中間部は、第１、第２湾曲部の間に設けられている。第１、第２コンタクトの第２直線部は、第３方向の成分を含む方向に延びており、第１、第２コンタクトのテール部は第１方向に間隔をあけて配置されている。第２コンタクトの第１直線部の長さ寸法が、第１コンタクトの第１直線部の長さ寸法よりも大きく、第２コンタクトの第２直線部の長さ寸法が第１コンタクトの第２直線部の長さ寸法よりも小さい。このように第１、第２コンタクト全体が略平行に配置されるので、第１、第２コンタクト間のスキューの発生を低減できる。また、第１、第２コンタクトは、全体が略平行な形状であるので、一度にプレス成形により作成することができる。よって、第１、第２コンタクトを作成するための金型数の低減を図ることができ、その結果、上記コネクタの低コスト化を図ることができる。更に、第１、第２コンタクト全体が略平行に配置されるので、第１、第２コンタクト間のインピーダンス調整を容易に図ることができる。
【００１０】
前記第２コンタクトの第２直線部の長さ寸法は、前記第１コンタクトの第１直線部の長さ寸法と前記第２コンタクトの第１直線部の長さ寸法との差と略同じ寸法分、前記第１コンタクトの第２直線部の長さ寸法よりも小さい構成とすることが可能である。
【００１１】
前記第１、第２コネクタは、前記ボディに保持されており且つ前記第１、第２コンタクトの第１直線部に前記第２方向又は前記第２方向の反対方向に間隔をあけて略平行に配置された第３コンタクトを更に備えた構成とすることが可能である。
【００１２】
このような発明の態様による場合、第３コンタクトが第１、第２コンタクトの第１直線部に前記第２方向又は前記反対方向に間隔をあけて略平行に配置されているので、第３コンタクトが、第１、第２コンタクトのグランドコンタクト又は擬似的なグランドコンタクトとして機能し得る。よって、第１、第２コンタクト間のインピーダンス整合を更に図ることができる。
【００１３】
本発明の第３コネクタは、絶縁性を有するボディと、前記ボディに保持された全長が略同じ第１、第２コンタクトと、前記ボディに保持された第３コンタクトとを備えている。前記第１コンタクトは、接点部と、前記接点部に連続しており且つ第１方向に延びた第１直線部と、前記第１直線部に連続しており且つ前記第１方向に直交する第２方向の成分を含む方向に折り曲げられた第１折り曲げ部と、前記第１折り曲げ部に連続する中間部と、前記中間部に連続しており且つ前記第１、第２方向に直交する第３方向の成分を含む方向に折り曲げられた第２折り曲げ部と、前記第２折り曲げ部に連続しており且つ前記第３方向の成分を含む方向に延びた第２直線部と、前記第２直線部に連続するテール部とを有している。前記第２コンタクトは、前記第１コンタクトの前記接点部に前記第３方向に間隔をあけて配置された接点部と、当該第２コンタクトの前記接点部に連続し、前記第１方向に延びており且つ前記第１コンタクトの前記第１直線部の長さ寸法よりも大きい長さ寸法を有する第１直線部と、当該第２コンタクトの前記第１直線部に連続しており且つ前記第１コンタクトの前記第１折り曲げ部と同方向に折り曲げられた第１折り曲げ部と、当該第２コンタクトの前記第１折り曲げ部に連続する中間部と、当該第２コンタクトの前記中間部に連続しており且つ前記第１コンタクトの前記第２折り曲げ部と同方向に折り曲げられた第２折り曲げ部と、当該第２コンタクトの前記第２折り曲げ部に連続し前記第１コンタクトの前記第２直線部に沿って延びており且つ前記第１コンタクトの前記第２直線部の長さ寸法よりも小さい長さ寸法を有する第２直線部と、当該第２コンタクトの前記第２直線部に連続しており且つ前記第１コンタクトの前記テール部に前記第１方向に間隔をあけて配置されたテール部とを有している。前記第３コンタクトは、前記第１、第２コンタクトの前記第１直線部と前記第１、第２コンタクトの前記第２直線部との間の領域に配置され、且つ前記第１、第２コンタクトの前記第１直線部に前記第２方向に間隔をあけて略平行に配置されている。
本発明の第４コネクタは、絶縁性を有するボディと、前記ボディに保持された全長が略同じ第１、第２コンタクトと、前記ボディに保持された第３コンタクトとを備えている。前記第１コンタクトは、接点部と、前記接点部に連続しており且つ第１方向に延びた第１直線部と、前記第１直線部に連続しており且つ前記第１方向に直交する第２方向の成分を含む方向に湾曲した第１湾曲部と、前記第１湾曲部に連続する中間部と、前記中間部に連続しており且つ前記第１、第２方向に直交する第３方向の成分を含む方向に湾曲した第２湾曲部と、前記第２湾曲部に連続しており且つ前記第３方向の成分を含む方向に延びた第２直線部と、前記第２直線部に連続するテール部とを有している。前記第２コンタクトは、前記第１コンタクトの前記接点部に前記第３方向に間隔をあけて配置された接点部と、当該第２コンタクトの前記接点部に連続し、前記第１方向に延びており且つ前記第１コンタクトの前記第１直線部の長さ寸法よりも大きい長さ寸法を有する第１直線部と、当該第２コンタクトの前記第１直線部に連続しており且つ前記第１コンタクトの前記第１湾曲部と同方向に湾曲した第１湾曲部と、当該第２コンタクトの前記第１湾曲部に連続する中間部と、当該第２コンタクトの前記中間部に連続しており且つ前記第１コンタクトの前記第２湾曲部と同方向に湾曲した第２湾曲部と、当該第２コンタクトの前記第２湾曲部に連続し、前記第１コンタクトの前記第２直線部に沿って延びており且つ前記第１コンタクトの前記第２直線部の長さ寸法よりも小さい長さ寸法を有する第２直線部と、当該第２コンタクトの前記第２直線部に連続しており且つ前記第１コンタクトの前記テール部に前記第１方向に間隔をあけて配置されたテール部とを有している。前記第３コンタクトは、前記第１、第２コンタクトの前記第１直線部と前記第１、第２コンタクトの前記第２直線部との間の領域に配置され、且つ前記第１、第２コンタクトの前記第１直線部に前記第２方向に間隔をあけて略平行に配置されている。
【００１４】
このような発明の態様による場合、第３コンタクトが第１、第２コンタクトの第１直線部と第１、第２コンタクトの第２直線部との間の領域に配置されている。よって、第３コンタクトにより第１、第２コンタクトの第１直線部と第１、第２コンタクトの第２直線部との間に発生するクロストークが低減される。また、第３コンタクトは、デッドスペースである前記領域に配置されているので、第３コンタクトが追加されたとしても、第１、第２コネクタの第２方向の寸法の低減を図ることができる。
【００１５】
前記第３コンタクトは、接点部と、当該第３コンタクトの前記接点部に連続し、前記第１方向に延びており且つ前記第１、第２コンタクトの第１直線部に対して前記第２方向に間隔をあけて対向配置された直線部と、前記直線部に連続し、斜めに傾斜しており且つ前記第１、第２コンタクトの第１直線部と前記第１、第２コンタクトの第２直線部との間に配置された傾斜部と、前記傾斜部に連続するテール部とを有する構成とすることが可能である。
【００１６】
このような発明の態様による場合、第３コンタクトの直線部が第１、第２コンタクトの第１直線部に対して第２方向に間隔をあけて配置され、第３コンタクトの傾斜部が第１、第２直線部間に配置されている。よって、第１、第２コンタクトの第１直線部と第１、第２コンタクトの第２直線部との間に発生するクロストークが低減される。しかも、第３コンタクトの直線部が第１、第２コンタクトの第１直線部に対して第２方向に間隔をあけて配置されることにより、第３コンタクトが第１、第２コンタクトのグランドコンタクト又は擬似的なグランドコンタクトとして機能し得る。よって、第１、第２コンタクト間のインピーダンス整合を図ることができる。
【００１７】
前記第３コンタクトの傾斜部は、前記第１、第２コンタクトの中間部に対して略平行に配置された構成とすることが可能である。
【００１８】
第１、第２コンタクトの第１、第２折り曲げ部及び中間部、又は、第１、第２湾曲部及び中間部は、第１、第２直線部に比べてインピーダンスが高くなりやすい。しかし、上記した発明の態様による場合、第３コンタクトの傾斜部が第１、第２コンタクトの中間部に対して略平行に配置されているので、第１、第２折り曲げ部及び中間部、又は、第１、第２湾曲部及び中間部のインピーダンスを低減させることができる。よって、第１、第２コンタクト間のインピーダンス整合を図ることができる。
【００１９】
前記ボディは、前記第１、第２コンタクトの接点部及び第１直線部を保持する第１ボディと、前記第１、第２コンタクトの第２直線部を保持する第２ボディとを有している。前記第２ボディは、前記第１ボディと別体である。このような発明の態様による場合、第１ボディが第１、第２コンタクトの接点部及び第１直線部を保持し、第２ボディが第１、第２コンタクトの第２直線部を保持した状態で、第１、第２折り曲げ部を折り曲げることができる。これにより、第１、第２折り曲げ部の折り曲げにより生じる第１、第２コンタクトのバラツキを抑制することができる。
【００２０】
前記ボディは、前記第１、第２コンタクトの接点部及び第１直線部を保持する第１ボディと、前記第１、第２コンタクトの第２直線部を保持する第２ボディと、前記第３コンタクトの傾斜部を保持しており且つ前記第１、第２ボディ間に配置された第３ボディとを有している。
【００２１】
このような発明の態様による場合、第１ボディが第１、第２コンタクトの接点部及び第１直線部を保持し、第２ボディが第１、第２コンタクトの第２直線部を保持した状態で、第１、第２コンタクトの第１、第２折り曲げ部が折り曲げられることにより、第３コンタクトの傾斜部を保持した第３ボディが第１、第２ボディ間に配置される。よって、前記第１、第２コネクタの組み立てが簡単になる。また、第１ボディが第１、第２コンタクトの接点部及び第１直線部を保持し、第２ボディが第１、第２コンタクトの第２直線部を保持した状態で、第１、第２折り曲げ部を折り曲げることができる。これにより、第１、第２折り曲げ部の折り曲げにより生じる第１、第２コンタクトのバラツキを抑制することができる。
【００２２】
前記第１、第２コネクタは、前記ボディを囲う導電性を有するシェルを更に備えた構成とすることが可能である。前記第１、第２コンタクトの中間部は前記ボディから露出する構成とすることが可能である。前記シェルは、前記第１、第２コンタクトの中間部の近傍に配置されたインピーダンス調整部を有する構成とすることが可能である。
【００２３】
このような発明の態様による場合、インピーダンス調整部が第１、第２コンタクトの中間部の近傍に配置されているので、第１、第２折り曲げ部及び中間部、又は、第１、第２湾曲部及び中間部のインピーダンスを低減させることができる。よって、第１、第２コンタクト間のインピーダンス整合を図ることができる。
【００２４】
前記第１、第２コネクタは、前記ボディを囲う導電性を有するシェルと、前記第１、第２コンタクトの前記ボディから露出した中間部と前記シェルとの間に設けられた誘電体とを更に備えた構成とすることが可能である。
【００２５】
このような発明の態様による場合、誘電体が第１、第２コンタクトのボディから露出した中間部とシェルとの間に設けられているので、第１、第２折り曲げ部及び中間部、又は、第１、第２湾曲部及び中間部のインピーダンスを低減させることができる。よって、第１、第２コンタクト間のインピーダンス整合を図ることができる。
【００２６】
前記第１、第２コネクタは、前記第１、第２コンタクトを有し且つ前記第３方向に間隔をあけて配置された第１、第２差動ペアと、前記第１、第２差動ペア間に配置された第４コンタクトとを更に備えた構成とすることが可能である。複数の前記第３コンタクトは、上記領域において前記直線部が前記第１差動ペアの前記第１、第２コンタクトの第１直線部の間、前記第２差動ペアの前記第１、第２コンタクトの第１直線部の間、前記第１差動ペアの前記第２コンタクトの第１直線部と第４コンタクトとの間及び前記第２差動ペアの前記第１コンタクトの第１直線部と第４コンタクトとの間に位置するように配置されている。
【００２７】
前記第１、第２コンタクトの接点部及び第１直線部は、前記ボディに固定された構成とすることが可能である。前記第３コンタクトの傾斜部が前記ボディに固定された構成とすることが可能である。前記第３コンタクトの直線部が前記第１、第２コンタクトの第１直線部側に弾性変形可能な構成とすることが可能である。
【００２８】
前記第１折り曲げ部は、前記第１、第２及び第３方向の間の方向に折り曲げられた構成とすることが可能である。前記第１湾曲部は、前記第１、第２及び第３方向の間の方向に湾曲した構成とすることが可能である。これらの場合、前記中間部は、前記第１、第２及び第３方向の間の方向に延びた構成とすることが可能である。
【図面の簡単な説明】
【００２９】
【図１Ａ】図１Ａは、本発明の実施例１に係るコネクタの正面、平面及び右側面を表した概略的斜視図である。
【図１Ｂ】図１Ｂは、前記コネクタの背面、平面及び左側面を表した概略的斜視図である。
【図１Ｃ】図１Ｃは、前記コネクタの正面、底面及び右側面を表した概略的斜視図である。
【図１Ｄ】図１Ｄは、前記コネクタの背面、底面及び左側面を表した概略的斜視図である。
【図２Ａ】図２Ａは、前記コネクタの第１、第２、第３ボディ及び第１、第２コンタクト群の正面、平面及び右側面を表した概略的斜視図である。
【図２Ｂ】図２Ｂは、前記コネクタの第１、第２、第３ボディ及び第１、第２コンタクト群の背面、平面及び左側面を表した概略的斜視図である。
【図３Ａ】図３Ａは、前記コネクタの第１、第２ボディ及び第１コンタクト群の正面、平面及び右側面を表した概略的斜視図である。
【図３Ｂ】図３Ｂは、前記コネクタの第１、第２ボディ及び第１コンタクト群の背面、平面及び左側面を表した概略的斜視図である。
【図４Ａ】図４Ａは、前記コネクタの第３ボディ及び第２コンタクト群の正面、平面及び右側面を表した概略的斜視図である。
【図４Ｂ】図４Ｂは、前記コネクタの第３ボディ及び第２コンタクト群の背面、平面及び左側面を表した概略的斜視図である。
【図５Ａ】図５Ａは、前記コネクタの第１、第２コンタクト群の正面図であって、第１、第２コンタクト群のコンタクトの配置関係を示す図である。
【図５Ｂ】図５Ｂは、前記コネクタの第１、第２コンタクト群の背面図であって、第１、第２コンタクト群のコンタクトの配置関係を示す図である。
【図５Ｃ】図５Ｃは、前記コネクタの第１、第２コンタクト群の右側面図であって、第１、第２コンタクト群のコンタクトの配置関係を示す図である。
【図５Ｄ】図５Ｄは、前記コネクタの第１、第２コンタクト群の左側面図であって、第１、第２コンタクト群のコンタクトの配置関係を示す図である。
【図５Ｅ】図５Ｅは、前記コネクタの第１、第２コンタクト群の平面図であって、第１、第２コンタクト群のコンタクトの配置関係を示す図である。
【図５Ｆ】図５Ｆは、前記コネクタの第１、第２コンタクト群の底面図であって、第１、第２コンタクト群のコンタクトの配置関係を示す図である。
【図５Ｇ】図５Ｇは、前記コネクタの第１、第２コンタクト群を図５Ｃ中のβ方向から示した斜視図であって、第１、第２コンタクト群のコンタクトの配置関係を示す図である。
【図６Ａ】図６Ａは、図１Ｂ中の６Ａ−６Ａ断面図である。
【図６Ｂ】図６Ｂは、図１Ｂ中の６Ｂ−６Ｂ断面図である。
【図６Ｃ】図６Ｃは、図１Ｂ中の６Ｃ−６Ｃ断面図である。
【図７】図７は、前記コネクタの設計変更例を示す概略的部分断面図である。
【発明を実施するための形態】
【００３０】
以下、本発明の実施例１に係るコネクタについて図１Ａ〜図６Ｃを参照しつつ説明する。
【実施例１】
【００３１】
図１Ａ〜図１Ｄに示すコネクタは図示しない基板に実装可能なレセプタクルコネクタである。このコネクタは、ボディ１００と、第１、第２コンタクト群２００ａ、２００ｂと、シェル３００とを備えている。以下、前記コネクタの各構成要件について詳しく説明する。なお、図１Ａ〜図２Ｂにおいて、前記コネクタの幅方向がＸ及び−Ｘ方向、前記コネクタの奥行き方向がＹ及び−Ｙ方向、前記コネクタの高さ方向がＺ及び−Ｚ方向として示されている。Ｙ及び−Ｙ方向が、Ｘ及び−Ｘ方向に直交し、Ｚ及び−Ｚ方向がＹ及び−Ｙ方向とＸ及び−Ｘ方向とに直交している。Ｙ方向が特許請求の範囲の第１方向に、Ｘ方向が特許請求の範囲の第２方向に、−Ｘ方向が特許請求の範囲の第２方向の反対方向に、−Ｚ方向が特許請求の範囲の第３方向に相当している。
【００３２】
ボディ１００は、図２Ａ及び図２Ｂに示すように、絶縁樹脂製の第１、第２、第３ボディ１００ａ、１００ｂ、１００ｃを有している。
【００３３】
第１ボディ１００ａは、図３Ａ及び図３Ｂに示すように、先端部１１０ａと、後端部１２０ａと、一対のアーム１３０ａとを有している。先端部１１０ａは略矩形状の板である。先端部１１０ａのＸ方向の面には、５つの凹部１１１ａ及び４つの溝１１２ａが設けられている。凹部１１１ａは、−Ｙ方向側が開放された矩形状の凹部であって、Ｚ及び−Ｚ方向に間隔をあけて配置されている。溝１１２ａはＹ及び−Ｙ方向に延びた長溝であって、隣り合う凹部１１１ａの間のＹ方向側に配置されている。
【００３４】
後端部１２０ａは、先端部１１０ａのＹ方向の端部に連設された略直角三角形状の板である。後端部１２０ａのＸ及び−Ｘ方向の寸法は先端部１１０ａよりも小さい。後端部１２０ａの−Ｘ方向の面には、図２Ｂに示すように、一対の係止穴１２１ａと係止凹部１２２ａとが設けられている。係止穴１２１ａは矩形状の穴である。係止凹部１２２ａは、Ｚ及び−Ｚ方向に延びた長尺状の凹部であって、係止穴１２１ａの間に位置している。後端部１２０ａの−Ｚ方向の端部には矩形状の切欠き部１２３ａが設けられている。後端部１２０ａの切欠き部１２３ａのＹ方向側の部分には、Ｘ方向の面から−Ｘ方向の面にかけて貫通する矩形状の嵌合孔１２４ａが設けられている。後端部１２０ａの斜辺部は傾斜面を有している。
【００３５】
一対のアーム１３０ａは、図３Ａに示すように、後端部１２０ａのＺ方向の端部と、後端部１２０ａの切欠き部１２３ａの縁部とに連設され且つ互いに対向するようにＸ方向に延びた直方体である。アーム１３０ａの対向面には係止穴１３１ａ（図示一つ）が設けられている。なお、先端部１１０ａのＹ方向の端部と、後端部１２０ａとアーム１３０ａとにより、収容空間αが区画されている。
【００３６】
第２ボディ１００ｂは略直角三角形状の板である。第２ボディ１００ｂの−Ｙ方向の端面の下部（−Ｚ方向側の端部）には、図３Ａに示すように係止突部１１０ｂが設けられている。第２ボディ１００ｂの−Ｘ方向の面には、図３Ｂに示すように３つの円柱状の嵌合凸部１２０ｂが設けられている。第２ボディ１００ｂの斜辺部は傾斜面を有している。
【００３７】
第１コンタクト群２００ａは、図５Ａ〜図５Ｅに示すように、導電性を有する金属板で構成された第１、第２コンタクト２１０ａ、２２０ａ、第４コンタクト２３０ａ及び第１、第２コンタクト２４０ａ、２５０ａを有するＵＳＢ３.０用のコンタクト群である。第１、第２コンタクト２１０ａ、２２０ａは、ＴＸ＋、ＴＸ−信号用コンタクトであって、互いに隣り合い第１差動ペアを構成している。第１、第２コンタクト２１０ａ、２２０ａの全長は略同じである。第１、第２コンタクト２４０ａ、２５０ａは、ＲＸ＋、ＲＸ−信号用コンタクトであって、互いに隣り合い第２差動ペアを構成している。第１、第２コンタクト２４０ａ、２５０ａの全長は略同じである。第４コンタクトは、グランドコンタクトであって、第１、第２差動ペア間（すなわち、第２コンタクト２２０ａと第１コンタクト２４０ａとの間）に配置されている。
【００３８】
第１コンタクト２１０ａは、接点部２１１ａと、第１直線部２１２ａと、第１折り曲げ部２１３ａと、中間部２１４ａと、第２折り曲げ部２１５ａと、第２直線部２１６ａと、テール部２１７ａとを有している。第２コンタクト２２０ａは、接点部２２１ａと、第１直線部２２２ａと、第１折り曲げ部２２３ａと、中間部２２４ａと、第２折り曲げ部２２５ａと、第２直線部２２６ａと、テール部２２７ａとを有している。第４コンタクト２３０ａは、接点部２３１ａと、第１直線部２３２ａと、第１折り曲げ部２３３ａと、中間部２３４ａと、第２折り曲げ部２３５ａと、第２直線部２３６ａと、テール部２３７ａとを有している。第１コンタクト２４０ａは、接点部２４１ａと、第１直線部２４２ａと、第１折り曲げ部２４３ａと、中間部２４４ａと、第２折り曲げ部２４５ａと、第２直線部２４６ａと、テール部２４７ａとを有している。第２コンタクト２５０ａは、接点部２５１ａと、第１直線部２５２ａと、第１折り曲げ部２５３ａと、中間部２５４ａと、第２折り曲げ部２５５ａと、第２直線部２５６ａと、テール部２５７ａとを有している。
【００３９】
接点部は、図３Ａに示すように、第１ボディ１００ａの先端部１１０ａに２１１ａ、２２１ａ、２３１ａ、２４１ａ、２５１ａの順で−Ｚ方向に間隔をあけて埋め込まれた（固定された）略矩形状の板であって、先端部１１０ａの対応する凹部１１１ａから露出している。
【００４０】
第１直線部２１２ａ、２２２ａ、２３２ａ、２４２ａ、２５２ａは、接点部２１１ａ、２２１ａ、２３１ａ、２４１ａ、２５１ａに連続し且つＹ方向に延びた長尺状の板である。第１直線部２２２ａの長さ寸法は、第１直線部２１２ａの長さ寸法よりも大きい。第１直線部２３２ａの長さ寸法は、第１直線部２２２ａの長さ寸法よりも大きい。第１直線部２４２ａの長さ寸法は、第１直線部２３２ａの長さ寸法よりも大きい。第１直線部２５２ａの長さ寸法は、第１直線部２４２ａの長さ寸法よりも大きい。第１直線部２１２ａ、２２２ａ、２３２ａ、２４２ａ、２５２ａは、第１ボディ１００ａの先端部１１０ａ及び後端部１２０ａに埋め込まれている（固定されている）。第１直線部２１２ａ、２２２ａ、２３２ａ、２４２ａ、２５２ａのＸ方向側の面は、図３Ａに示すように、後端部１２０ａのＸ方向側の面から露出している。第１直線部２１２ａ、２２２ａ、２３２ａ、２４２ａ、２５２ａのＸ方向側の面と後端部１２０ａのＸ方向側の面とは面一である。
【００４１】
第１折り曲げ部２１３ａ、２２３ａ、２３３ａ、２４３ａ、２５３ａは、第１直線部２１２ａ、２２２ａ、２３２ａ、２４２ａ、２５２ａに連続しており且つＸ、Ｙ及び−Ｚ方向（すなわち、第１、第２及び第３方向の間の方向）に折り曲げられている。第１折り曲げ部２１３ａ、２２３ａ、２３３ａ、２４３ａ、２５３ａは、後端部１２０ａの傾斜面（第１ボディ１００ａの傾斜面）からＹ方向に突出している。
【００４２】
中間部２１４ａ、２２４ａ、２３４ａ、２４４ａ、２５４ａは、第１折り曲げ部２１３ａ、２２３ａ、２３３ａ、２４３ａ、２５３ａに連続し且つＸ、Ｙ及び−Ｚ方向（すなわち、第１、第２及び第３方向の間の方向）に延びた直線状の板である。第２折り曲げ部２１５ａ、２２５ａ、２３５ａ、２４５ａ、２５５ａは、中間部２１４ａ、２２４ａ、２３４ａ、２４４ａ、２５４ａに連続し且つ−Ｚ方向に折り曲げられている。
【００４３】
第２直線部２１６ａ、２２６ａ、２３６ａ、２４６ａ、２５６ａは、第２折り曲げ部２１５ａ、２２５ａ、２３５ａ、２４５ａ、２５５ａに連続し且つ−Ｚ方向に延びた長尺状の板である。第２直線部２２６ａの長さ寸法は、第１直線部２２２ａの長さ寸法と第１直線部２１２ａの長さ寸法との差の寸法と略同じ寸法分、第２直線部２１６ａの長さ寸法よりも小さい。第２直線部２３６ａの長さ寸法は、第１直線部２３２ａの長さ寸法と第１直線部２２２ａの長さ寸法との差の寸法と略同じ寸法分、第２直線部２２６ａの長さ寸法よりも小さい。第２直線部２４６ａの長さ寸法は、第１直線部２４２ａの長さ寸法と第１直線部２３２ａの長さ寸法との差の寸法と略同じ寸法分、第２直線部２３６ａの長さ寸法よりも小さい。第２直線部２５６ａの長さ寸法は、第１直線部２５２ａの長さ寸法と第１直線部２４２ａの長さ寸法との差の寸法と略同じ寸法分、第２直線部２４６ａの長さ寸法よりも小さい。第２直線部２１６ａ、２２６ａ、２３６ａ、２４６ａ、２５６ａは、第２ボディ１００ｂに埋め込まれ且つ第２ボディ１００ｂの傾斜面から−Ｚ方向の端面にかけて貫通している。第２折り曲げ部２１５ａ、２２５ａ、２３５ａ、２４５ａ、２５５ａは、第２ボディ１００ｂの傾斜面からＹ方向に突出している。すなわち、第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａが、第１、第２ボディ１００ａ、１００ｂ外に配置されている。
【００４４】
第１直線部２１２ａ、２２２ａ、２３２ａ、２４２ａ、２５２ａと第２直線部２１６ａ、２２６ａ、２３６ａ、２４６ａ、２５６ａとは部分的に対向している。第２直線部２１６ａ、２２６ａ、２３６ａ、２４６ａ、２５６ａが埋め込まれた第２ボディ１００ｂは、図３Ａ及び図３Ｂに示すように、第１ボディ１００ａの後端部１２０ａに対向配置される。第１、第２ボディ１００ａ、１００ｂの間の領域（すなわち、第１直線部２１２ａ、２２２ａ、２３２ａ、２４２ａ、２５２ａと第２直線部２１６ａ、２２６ａ、２３６ａ、２４６ａ、２５６ａとの間の領域）が、第２コンタクト群２００ｂを配置するための領域となる。
【００４５】
テール部２１７ａ、２２７ａ、２３７ａ、２４７ａ、２５７ａは、第２直線部２１６ａ、２２６ａ、２３６ａ、２４６ａ、２５６ａに連続し且つ−Ｚ方向に延びた板である。テール部２１７ａ、２２７ａ、２３７ａ、２４７ａ、２５７ａは、この順でＹ方向に一列で間隔をあけて配置されている。このテール部２１７ａ、２２７ａ、２３７ａ、２４７ａ、２５７ａが上記基板の第１スルーホール電極に各々接続可能となっている。
【００４６】
上記第１、第２コンタクト２１０ａ、２２０ａの第１直線部２１２ａ、２２２ａ間の距離、第１折り曲げ部２１３ａ、２２３ａ間の距離、中間部２１４ａ、２２４ａ間の距離、第２折り曲げ部２１５ａ、２２５ａ間の距離及び第２直線部２１６ａ、２２６ａ間の距離は略同じである。上記第１、第２コンタクト２４０ａ、２５０ａの第１直線部２４２ａ、２５２ａ間の距離、第１折り曲げ部２４３ａ、２５３ａ間の距離、中間部２４４ａ、２５４ａ間の距離、第２折り曲げ部２４５ａ、２５５ａ間の距離及び第２直線部２４６ａ、２５６ａ間の距離が略同じである。 
【００４７】
第３ボディ１００ｃは、図４Ａ及び図４Ｂに示すように、ブロック１１０ｃと、舌部１２０ｃと、プレート１３０ｃとを有している。プレート１３０ｃは、ブロック１１０ｃ及び舌部１２０ｃに連設された直角三角形の板である。プレート１３０ｃのＸ及び−Ｘ方向の寸法は、第１ボディ１００ａの後端部１２０ａと第２ボディ１００ｂとの間の距離と略同じである。プレート１３０ｃが第１ボディ１００ａの後端部１２０ａと第２ボディ１００ｂとの間で挟持されている。プレート１３０ｃのＸ方向の面には、第２ボディ１００ｂの嵌合凸部１２０ｂに各々対応する位置に嵌合凹部１３１ｃが設けられている。プレート１３０ｃの−Ｘ方向の面には、矩形状の嵌合凸部１３２ｃが設けられている。プレート１３０ｃが第１ボディ１００ａの後端部１２０ａと第２ボディ１００ｂとの間に挟持された状態で、嵌合凸部１２０ｂが嵌合凹部１３１ｃに嵌合し、嵌合凸部１３２ｃが第１ボディ１００ａの嵌合孔１２４ａに嵌合している。プレート１３０ｃの斜辺部は傾斜面を有している。
【００４８】
ブロック１１０ｃはＺ及び−Ｚ方向に延びた直方体である。ブロック１１０ｃのＺ及び−Ｚ方向の寸法は、第１ボディ１００ａのアーム１３０ａの間の距離と略同じである。ブロック１１０ｃは、第１ボディ１００ａの収容空間αに嵌合している。ブロック１１０ｃのＺ及び−Ｚ方向の端部には、係止爪１１１ｃ（図示一つ）が設けられている。係止爪１１１ｃは、第１ボディ１００ａのアーム１３０ａの係止穴１３１ａに係止されている。ブロック１１０ｃのＸ方向の面には、矩形状の係止穴１１２ｃが設けられている。舌部１２０ｃは、ブロック１１０ｃの−Ｚ方向の端部に連設された略Ｌ字状の板である。舌部１２０ｃは、Ｚ方向の端部と、当該端部に直交する−Ｚ方向の端部とを有している。舌部１２０ｃの−Ｚ方向の端部とブロック１１０ｃとの距離は、第１ボディ１００ａの−Ｚ方向のアーム１３０ａのＺ及び−Ｚ方向の寸法よりも大きい。この舌部１２０ｃの−Ｚ方向の端部とブロック１１０ｃとの間に、図２Ａに示すように−Ｚ方向のアーム１３０ａが挿入されている。アーム１３０ａが舌部１２０ｃの−Ｚ方向の端部とブロック１１０ｃとの間に挿入された状態で、舌部１２０ｃの−Ｚ方向の端部とアーム１３０ａとの間に隙間が生じる。舌部１２０ｃの−Ｚ方向の端部のＹ方向の端面には、図１Ｄに示すように、係止突部１２１ｃが設けられている。プレート１３０ｃが第１ボディ１００ａの後端部１２０ａと第２ボディ１００ｂとの間に挟持された状態で、係止突部１２１ｃが第２ボディ１００ｂの係止突部１１０ｂに係止される。
【００４９】
第２コンタクト群２００ｂは、図５Ａ〜図５Ｅに示すように、導電性を有する金属板で構成された略Ｌ字状の第３コンタクト２１０ｂ、２２０ｂ、２３０ｂ、２４０ｂを有するＵＳＢ２.０用のコンタクト群である。第３コンタクトは、２１０ｂ、２２０ｂ、２３０ｂ、２４０ｂの順で−Ｚ方向に間隔をあけて第３ボディ１００ｃに保持されている。第３コンタクト２１０ｂはＶｂｕｓ用コンタクトである。第３コンタクト２２０ｂ、２３０ｂは、Ｄａｔａ−用、Ｄａｔａ＋用コンタクトであって、互いに隣り合い差動ペアを構成している。第３コンタクト２４０ｂは、ＧＮＤ用コンタクトである。
【００５０】
第３コンタクト２１０ｂは、接点部２１１ｂと、直線部２１２ｂと、傾斜部２１３ｂと、テール部２１４ｂとを有している。第３コンタクト２２０ｂは、接点部２２１ｂと、直線部２２２ｂと、傾斜部２２３ｂと、テール部２２４ｂとを有している。第３コンタクト２３０ｂは、接点部２３１ｂと、直線部２３２ｂと、傾斜部２３３ｂと、テール部２３４ｂとを有している。第３コンタクト２４０ｂは、接点部２４１ｂと、直線部２４２ｂと、傾斜部２４３ｂと、テール部２４４ｂとを有している。
【００５１】
接点部２１１ｂ、２２１ｂ、２３１ｂ、２４１ｂは、Ｘ方向に略Ｖ字状に折り曲げられた板である。直線部２１２ｂ、２２２ｂ、２３２ｂ、２４２ｂは、接点部２１１ｂ、２２１ｂ、２３１ｂ、２４１ｂに連続し且つＹ方向に延びた長尺状の板である。傾斜部２１３ｂ、２２３ｂ、２３３ｂ、２４３ｂは、直線部２１２ｂ、２２２ｂ、２３２ｂ、２４２ｂに連続し且つＹ及び−Ｚ方向に傾斜しつつ延びた長尺状の板である。傾斜部２１３ｂの長さ寸法は、傾斜部２２３ｂの長さ寸法よりも大きい。傾斜部２２３ｂの長さ寸法は、傾斜部２３３ｂの長さ寸法よりも大きい。傾斜部２３３ｂの長さ寸法は、傾斜部２４３ｂの長さ寸法よりも大きい。テール部２１４ｂ、２２４ｂ、２３４ｂ、２４４ｂは、傾斜部２１３ｂ、２２３ｂ、２３３ｂ、２４３ｂに連続し且つ−Ｚ方向に延びた板である。
【００５２】
図４Ａに示すように、傾斜部２１３ｂ、２２３ｂ、２３３ｂ、２４３ｂは、この順で第３ボディ１００ｃのプレート１３０ｃに−Ｚ方向に間隔をあけて埋め込まれている（固定されている）。直線部２１２ｂ、２２２ｂ、２３２ｂ、２４２ｂのＹ方向の端部は、この順で第３ボディ１００ｃのブロック１１０ｃに−Ｚ方向に間隔をあけて埋め込まれている。この状態で、傾斜部２１３ｂのＺ方向の傾斜面２１３ｂ１は、図４Ｂに示すように、プレート１３０ｃの傾斜面から露出している。直線部２１２ｂ、２２２ｂ、２３２ｂ、２４２ｂのＹ方向の端部以外の部分は、ブロック１１０ｃから−Ｙ方向に突出している。接点部は、２１１ｂ、２２１ｂ、２３１ｂ、２４１ｂの順で−Ｚ方向に間隔をあけて配置されている。テール部は、２４４ｂ、２５４ｂ、２３４ｂ、２１４ｂの順で、Ｙ方向に間隔をあけて配置されている。テール部２４４ｂ、２５４ｂ、２３４ｂ、２１４ｂは、上記基板の第２スルーホール電極に各々接続可能となっている。なお、傾斜部２１３ｂ、２２３ｂ、２３３ｂ、２４３ｂの長さ寸法は、テール部２４４ｂ、２５４ｂ、２３４ｂ、２１４ｂの先端の高さ位置が同一高さとなるように設定されている。
【００５３】
ブロック１１０ｃが第１ボディ１００ａの収容空間αに嵌合し且つプレート１３０ｃが第１ボディ１００ａの後端部１２０ａと第２ボディ１００ｂとの間に挟持された状態で、第３コンタクト２１０ｂ、２２０ｂ、２３０ｂ、２４０ｂが、第１コンタクト群２００ａの第１直線部２１２ａ、２２２ａ、２３２ａ、２４２ａ、２５２ａと当該第１コンタクト群２００ａの第２直線部２１６ａ、２２６ａ、２３６ａ、２４６ａ、２５６ａとの間の領域に第１直線部２１２ａ、２２２ａ、２３２ａ、２４２ａ、２５２ａに対して略平行に配置される。この状態で、直線部２１２ｂ、２２２ｂ、２３２ｂ、２４２ｂのＹ方向の端部以外の部分及び接点部２１１ｂ、２２１ｂ、２３１ｂ、２４１ｂが第１ボディ１００ａの対応する溝１１２ａに挿入され、当該直線部２１２ｂ、２２２ｂ、２３２ｂ、２４２ｂが対応する溝１１２ａのＺ及び−Ｚ方向の壁面間に−Ｘ方向（第１コンタクト群側）に弾性変形可能に保持される。この状態で、直線部２１２ｂは第１直線部２１２ａ、２２２ａ間のＸ方向の空間的位置に配置される。直線部２２２ｂは第１直線部２２２ａ、２３２ａ間のＸ方向の空間的位置に配置される。直線部２３２ｂは第１直線部２３２ａ、２４２ａ間のＸ方向の空間的位置に配置される。直線部２４２ｂは第１直線部２４２ａ、２５２ａ間のＸ方向の空間的位置に配置される。接点部２１１ｂ、２２１ｂ、２３１ｂ、２４１ｂは、溝１１２ａ内で直線部２１２ｂ、２２２ｂ、２３２ｂ、２４２ｂの弾性変形に伴って−Ｘ方向に変位可能に中空配置される。傾斜部２１３ｂ、２２３ｂ、２３３ｂ、２４３ｂは、第１直線部２１２ａ、２２２ａ、２３２ａ、２４２ａ、２５２ａと第２直線部２１６ａ、２２６ａ、２３６ａ、２４６ａ、２５６ａとの間に配置される。テール部２４４ｂ、２３４ｂ、２２４ｂ、２１４ｂ及びテール部２１７ａ、２２７ａ、２３７ａ、２４７ａ、２５７ａは、千鳥配置される。
【００５４】
傾斜部２１３ｂは、第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａの近傍に配置されている。プレート１３０ｃの傾斜面から露出した第３コンタクト２１０ｂの傾斜部２１３ｂの傾斜面２１３ｂ１は、図５Ｃ、図５Ｄ及び図５Ｇに示すように、第１、第２、第４コンタクト２１０ａ、２２０ａ、２３０ａ、２４０ａ、２５０ａの中間部２１４ａ、２２４ａ、２３４ａ、２４４ａ、２５４ａに対して略平行に配置されている。このため、第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａが第１、第２ボディ１００ａ、１００ｂから露出していることを起因として、第１、第２コンタクト２１０ａ、２２０ａ、２４０ａ、２５０ａの他の部分に比べて、高くなり易い第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのインピーダンスを下げることができる。なお、図５Ｇにおいては、説明の便宜上、第１、第２、第３ボディ１００ａ、１００ｂ、１００ｃは図示省略されている。
【００５５】
図５Ｇにおいて、傾斜部２１３ｂと中間部２１４ａ、２２４ａ、２３４ａ、２４４ａ、２５４ａとの間の距離がＤ１、傾斜部２１３ｂと第１直線部２１２ａ、２２２ａ、２３２ａ、２４２ａ、２５２ａとの間の距離がＤ２、傾斜部２１３ｂと第２直線部２１６ａ、２２６ａ、２３６ａ、２４６ａ、２５６ａとの間の距離がＤ３として示されている。Ｄ１、Ｄ２及びＤ３は、第１、第２コンタクト２１０ａ、２２０ａ、２４０ａ、２５０ａの第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのインピーダンスＩ１と、本コネクタに要求される基準インピーダンスＩ２（例えば、９０〜１００Ω）との差に応じて調整されている。例えば、Ｄ１≒Ｄ２又はＤ１≒Ｄ３において、インピーダンスＩ１が基準インピーダンスＩ２よりも高い場合、Ｄ１＜Ｄ２及びＤ１＜Ｄ３となるように調整する。Ｄ１≒Ｄ２又はＤ１≒Ｄ３において、インピーダンスＩ１が基準インピーダンスＩ２よりも低い場合、Ｄ１＞Ｄ２及びＤ１＞Ｄ３となるように調整する。なお、図５ＧではＤ１＜Ｄ２及びＤ１＜Ｄ３となっている。
【００５６】
シェル３００は導電性を有する金属板で構成されている。シェル３００は、角筒部３１０と、図１Ａ〜図１Ｄに示すように、一対の延長部３２０と、バックカバー３３０と、一対の係止部３４０と、一対の第１脚部３５０と、第２脚部３６０とを有している。
【００５７】
角筒部３１０は、Ｘ及び−Ｘ方向の板と、Ｚ及び−Ｚ方向の板とを有している。角筒部３１０が、図６Ａ〜図６Ｃに示すように、第１ボディ１００ａの先端部１１０ａ、後端部１２０ａの−Ｙ方向側の端部、一対のアーム１３０ａ及び第３ボディ１００ｃのブロック１１０ｃの周囲を囲っている。角筒部３１０のＸ方向の板がブロック１１０ｃに、−Ｘ方向の板が後端部１２０ａの−Ｙ方向側の端部に、角筒部３１０のＺ方向の板がＺ方向のアーム１３０ａに当接している。角筒部３１０の−Ｚ方向の板が、アーム１３０ａと第３ボディ１００ｃの舌部１２０ｃの−Ｚ方向の端部との間の隙間に挿入されている（図１Ｃ参照）。角筒部３１０、先端部１１０ａ、一対のアーム１３０ａ及びブロック１１０ｃが、相手側コネクタ（ＵＳＢ２．０プラグコネクタ又はＵＳＢ３．０プラグコネクタ）が挿入可能なスロットを区画している。
【００５８】
角筒部３１０の−Ｘ方向の板は、一対の第１係止片３１１、第２係止片３１２、一対の第３係止片３１３及び段落ち部３１４を有している。角筒部３１０のＸ方向の板は、一対の第１係止片３１１及び一対の第３係止片３１３を有している。角筒部３１０のＺ方向の板は、第１係止片３１１を有している。第１係止片３１１は、前記板の−Ｙ方向の端部の一部がカットされることにより作成された切欠き片であって、−Ｙ方向に延びている。第２係止片３１２は、−Ｘ方向の板の−Ｙ方向の端部の係止片３１１間の部分がカットされることにより作成された切欠き片であって、Ｙ方向に延びている。第１、第２係止片３１１、３１２は、スロットに挿入された相手側コネクタの凹部に係止可能である。第３係止片３１３は、Ｘ、−Ｘ方向の板のＹ方向の端部の一部がカットされ、−Ｘ、Ｘ方向に折り曲げられたタブである。段落ち部３１４は、図６Ａに示すように、−Ｘ方向の板の−Ｙ方向の端部の第３係止片３１３間の部分が、Ｘ方向に折り曲げられた略Ｕ字状の突部である。Ｘ方向の板の第３係止片３１３は、第３ボディ１００ｃの係止穴１１２ｃに係止されている。−Ｘ方向の板の第３係止片３１３は、第１ボディ１００ａの係止穴１２１ａに係止されている。段落ち部３１４は、図６Ｂに示すように、第１ボディ１００ａの係止凹部１２２ａに係止されている。
【００５９】
延長部３２０は、角筒部３１０のＸ及び−Ｘ方向の板のＹ方向の端部に連設された略直角三角形状の板である。延長部３２０の間に、第１ボディ１００ａの後端部１２０ａの−Ｙ方向側の端部の以外の部分、第２ボディ１００ｂ及び第３ボディ１００ｃのプレート１３０ｃが収容されている。−Ｘ方向の延長部３２０は第１ボディ１００ａの後端部１２０ａの−Ｙ方向側の端部の以外の部分に、Ｘ方向の延長部３２０は第２ボディ１００ｂに当接している。延長部３２０の斜辺部の間には開放部が設けられている。延長部３２０の斜辺部には、外側に凸の凸部３２１が設けられている。
【００６０】
バックカバー３３０は、角筒部３１０のＺ方向の板のＹ方向の端部に連設された矩形状の板である。バックカバー３３０は、延長部３２０の開放部を閉塞している。この状態で、バックカバー３３０は、第１、第２、第４コンタクト２１０ａ、２２０ａ、２３０ａ、２４０ａ、２５０ａの第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａの近傍に間隙を有して配置されている。バックカバー３３０は、第１、第２、第４コンタクト２１０ａ、２２０ａ、２３０ａ、２４０ａ、２５０ａの中間部２１４ａ、２２４ａ、２３４ａ、２４４ａ、２５４ａに対して略平行に配置されている。これにより、第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのインピーダンスが下がる。すなわち、バックカバー３３０が、第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａを調整するインピーダンス調整部として機能している。
【００６１】
係止部３４０は、バックカバー３３０のＸ及び−Ｘ方向の端部に連設され且つバックカバー３３０に対して略直角に折り曲げられた矩形状の板である。係止部３４０には、切欠き部３４１が設けられている。係止部３４０が延長部３２０の外面に当接し、延長部３２０の凸部３２１が係止部３４０の切欠き部３４１に係止される。これにより、バックカバー３３０が前記開放部を閉塞した状態が維持されている。
【００６２】
第１脚部３５０は、延長部３２０に連設され且つ−Ｚ方向に延びている。第２脚部３６０は、バックカバー３３０に連設され且つ−Ｚ方向に延びている。第１、第２脚部３５０、３６０は、上記基板の第３スルーホール電極に各々接続可能となっている。第１、第２脚部３５０、３６０が基板の第３スルーホール電極に接続されることにより、シェル３００がグランド接続される。
【００６３】
以下、上記コネクタの組み立て順について詳しく説明する。まず、第１、第２、第４コンタクト２１０ａ、２２０ａ、２３０ａ、２４０ａ、２５０ａを用意する。この第１、第２、第４コンタクト２１０ａ、２２０ａ、２３０ａ、２４０ａ、２５０ａは、第１折り曲げ部２１３ａ、２２３ａ、２４３ａ、２５３ａ及び第２折り曲げ部２１５ａ、２２５ａ、２４５ａ、２５５ａが折り曲げられる前の状態（すなわち、第１直線部２１２ａ、２２２ａ、２３２ａ、２４２ａ、２５２ａと、第２直線部２１６ａ、２２６ａ、２３６ａ、２４６ａ、２５６ａとが一直線状に位置した状態）である。
【００６４】
その後、第１、第２、第４コンタクト２１０ａ、２２０ａ、２３０ａ、２４０ａ、２５０ａを金型内に入れ、当該金型内に絶縁樹脂を流し込み、第１、第２、第４コンタクト２１０ａ、２２０ａ、２３０ａ、２４０ａ、２５０ａを絶縁樹脂にインサート成型する。すると、第１、第２、第４コンタクト２１０ａ、２２０ａ、２３０ａ、２４０ａ、２５０ａの接点部が、２１１ａ、２２１ａ、２３１ａ、２４１ａ、２５１ａの順で第１ボディ１００ａに−Ｚ方向に間隔をあけて埋め込まれると共に、第１、第２、第４コンタクト２１０ａ、２２０ａ、２３０ａ、２４０ａ、２５０ａの第１直線部が、２１２ａ、２２２ａ、２３２ａ、２４２ａ、２５２ａの順で第１ボディ１００ａに−Ｚ方向に間隔をあけて埋め込まれる。このとき、接点部２１１ａ、２２１ａ、２３１ａ、２４１ａ、２５１ａは、第１ボディ１００ａの先端部１１０ａの凹部１１１ａから露出する。第１直線部２１２ａ、２２２ａ、２３２ａ、２４２ａ、２５２ａのＸ方向側の面は、第１ボディ１００ａの後端部１２０ａのＸ方向側の面から露出する。これと共に、第１、第２、第４コンタクト２１０ａ、２２０ａ、２３０ａ、２４０ａ、２５０ａの第２直線部２１６ａ、２２６ａ、２３６ａ、２４６ａ、２５６ａが第２ボディ１００ｂに埋め込まれる。これにより、第２直線部２１６ａ、２２６ａ、２３６ａ、２４６ａ、２５６ａが第２ボディ１００ｂの傾斜面から−Ｚ方向の端面にかけて貫通する。第１、第２、第４コンタクト２１０ａ、２２０ａ、２３０ａ、２４０ａ、２５０ａのテール部が、２１７ａ、２２７ａ、２３７ａ、２４７ａ、２５７ａの順で一列に配置される。第１、第２、第４コンタクト２１０ａ、２２０ａ、２３０ａ、２４０ａ、２５０ａの第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａは、第１、第２ボディ１００ａ、１００ｂ間に当該第１、第２ボディ１００ａ、１００ｂから露出する。
【００６５】
インサート成形時において、第１、第２コンタクト２１０ａ、２２０ａの第１直線部２１２ａ、２２２ａ、第１折り曲げ部２１３ａ、２２３ａ、中間部２１４ａ、２２４ａ、第２折り曲げ部２１５ａ、２２５ａ及び第２直線部２１６ａ、２２６ａ間の距離が略同じになる。第１、第２コンタクト２４０ａ、２５０ａの第１直線部２４２ａ、２５２ａ、第１折り曲げ部２４３ａ、２５３ａ、中間部２４４ａ、２５４ａ、第２折り曲げ部２４５ａ、２５５ａ及び第２直線部２４６ａ、２５６ａ間の距離が略同じになる。
【００６６】
その一方で、第３コンタクト２１０ｂ、２２０ｂ、２３０ｂ、２４０ｂを用意する。その後、第３コンタクト２１０ｂ、２２０ｂ、２３０ｂ、２４０ｂを金型に入れ、当該金型内に絶縁樹脂を流し込み、第３コンタクト２１０ｂ、２２０ｂ、２３０ｂ、２４０ｂを絶縁樹脂にインサート成型する。すると、第３コンタクト２１０ｂ、２２０ｂ、２３０ｂ、２４０ｂの傾斜部が２１３ｂ、２２３ｂ、２３３ｂ、２４３ｂの順で第３ボディ１００ｃに−Ｚ方向に間隔をあけて埋め込まれると共に、第３コンタクト２１０ｂ、２２０ｂ、２３０ｂ、２４０ｂの直線部のＹ方向の端部が２１２ｂ、２２２ｂ、２３２ｂ、２４２ｂの順で第３ボディ１００ｃに−Ｚ方向に間隔をあけて埋め込まれる。このとき、直線部２１２ｂ、２２２ｂ、２３２ｂ、２４２ｂのＹ方向の端部以外の部分が、第３ボディ１００ｃから−Ｙ方向に突出する。第３コンタクト２１０ｂ、２２０ｂ、２３０ｂ、２４０ｂのテール部は、第３ボディ１００ｃから−Ｚ方向に突出し且つ２４４ｂ、２５４ｂ、２３４ｂ、２１４ｂの順でＹ方向に間隔をあけて配置される。第３コンタクト２１０ｂの傾斜部２１３ｂの傾斜面２１３ｂ１が、第３ボディ１００ｃの傾斜面（プレート１３０ｃの傾斜面）から露出する。
【００６７】
その後、第３コンタクト２１０ｂ、２２０ｂ、２３０ｂ、２４０ｂの接点部２１１ｂ、２２１ｂ、２３１ｂ、２４１ｂ及び直線部２１２ｂ、２２２ｂ、２３２ｂ、２４２ｂのＹ方向の端部以外の部分を第１ボディ１００ａの先端部１１０ａの溝１１２ａに挿入する。すると、直線部２１２ｂ、２２２ｂ、２３２ｂ、２４２ｂが先端部１１０ａの溝１１２ａのＺ及び−Ｚ方向の壁面間に保持される。この状態で、直線部２１２ｂは第１、第２コンタクト２１０ａ、２２０ａの第１直線部２１２ａ、２２２ａ間のＸ方向側の空間的位置に配置される。直線部２２２ｂは第２、第４コンタクト２２０ａ、２３０ａの第１直線部２２２ａ、２３２ａ間のＸ方向側の空間的位置に配置される。直線部２３２ｂは第４、第１コンタクト２３０ａ、２４０ａの第１直線部２３２ａ、２４２ａ間のＸ方向側の空間的位置に配置される。直線部２４２ｂは第１、第２コンタクト２４０ａ、２５０ａの第１直線部２４２ａ、２５２ａ間のＸ方向側の空間的位置に配置される。
【００６８】
これと共に、第３ボディ１００ｃのブロック１１０ｃを第１ボディ１００ａの収容空間αに嵌合させ、第３ボディ１００ｃのプレート１３０ｃを第１ボディ１００ａの後端部１２０ａに当接させる。すると、ブロック１１０ｃの係止爪１１１ｃが、第１ボディ１００ａのアーム１３０ａの係止穴１３１ａに係止される。プレート１３０ｃの嵌合凸部１３２ｃが後端部１２０ａの嵌合孔１２４ａに嵌合する。このようにして第３ボディ１００ｃが第１ボディ１００ａに組み合わされる。
【００６９】
その後、第１、第２、第４コンタクト２１０ａ、２２０ａ、２３０ａ、２４０ａ、２５０ａの第１折り曲げ部２１３ａ、２２３ａ、２３３ａ、２４３ａ、２５３ａをＸ、Ｙ及び−Ｚ方向に折り曲げる。すると、中間部２１４ａ、２２４ａ、２３４ａ、２４４ａ、２５４ａがＸ、Ｙ及び−Ｚ方向に向く。その後、第２折り曲げ部２１５ａ、２２５ａ、２３５ａ、２４５ａ、２５５ａを−Ｚ方向に折り曲げる。すると、第２直線部２１６ａ、２２６ａ、２３６ａ、２４６ａ、２５６ａが−Ｚ方向に向き、第２ボディ１００ｂが第３ボディ１００ｃに当接する。これにより、第３ボディ１００ｃのプレート１３０ｃが第１ボディ１００ａの後端部１２０ａと第２ボディ１００ｂとの間に挟持される。このとき、第２ボディ１００ｂの嵌合凸部１２０ｂが第３ボディ１００ｃの嵌合凹部１３１ｃに嵌合すると共に、第３ボディ１００ｃの舌部１２０ｃの係止突部１２１ｃが第２ボディ１００ｂの係止突部１１０ｂに係止される。テール部が、２１７ａ、２４４ｂ、２２７ａ、２３４ｂ、２３７ａ、２２４ｂ、２４７ａ、２１４ｂ、２５７ａの順でＹ方向に千鳥配置される。第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａは、第１、第２、第３ボディ１００ａ、１００ｂ、１００ｃの傾斜面のＹ方向側に配置される。第３ボディ１００ｃの傾斜面から露出した第３コンタクト２１０ｂの傾斜部２１３ｂの傾斜面２１３ｂ１は、中間部２１４ａ、２２４ａ、２３４ａ、２４４ａ、２５４ａの近傍に間隔をあけて配置される。このとき、Ｄ１、Ｄ２及びＤ３は、第１、第２コンタクト２１０ａ、２２０ａ、２４０ａ、２５０ａの第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのインピーダンスと、第１、第２コンタクト２１０ａ、２２０ａ、２４０ａ、２５０ａの他の部分のインピーダンスとが略同じになるように設定される。このようにして第１、第２、第３ボディ１００ａ、１００ｂ、１００ｃが組み合わされる。
【００７０】
その後、金属板がプレス成形されることにより作成されたシェル３００を用意する。このシェル３００は、バックカバー３３０が角筒部３１０のＺ方向の板に対してフラットな状態であり、係止部３４０がバックカバー３３０に対してフラットな状態である。すなわち、バックカバー３３０が延長部３２０間の開放部を開放している。その後、第１、第２、第３ボディ１００ａ、１００ｂ、１００ｃを開放部からシェル３００内に挿入する。すると、シェル３００の角筒部３１０内に第１ボディ１００ａの先端部１１０ａ、後端部１２０ａの−Ｙ方向側の端部、一対のアーム１３０ａ及び第３ボディ１００ｃのブロック１１０ｃが収容され、延長部３２０の間に第１ボディ１００ａの後端部１２０ａの−Ｙ方向側の端部の以外の部分、第２ボディ１００ｂ及び第３ボディ１００ｃのプレート１３０ｃが収容される。このとき、角筒部３１０のＸ方向の板がブロック１１０ｃに、角筒部３１０の−Ｘ方向の板が後端部１２０ａの−Ｙ方向側の端部に、角筒部３１０のＺ方向の板がＺ方向のアーム１３０ａに当接する。角筒部３１０の−Ｚ方向の板がアーム１３０ａと第３ボディ１００ｃの舌部１２０ｃの−Ｚ方向の端部との間の隙間に挿入される。これと共に、Ｘ方向の延長部３２０が第２ボディ１００ｂに、−Ｘ方向の延長部３２０が第１ボディ１００ａの後端部１２０ａの−Ｙ方向側の端部の以外の部分に当接する。Ｘ方向の板の第３係止片３１３は、第３ボディ１００ｃの係止穴１１２ｃに、−Ｘ方向の板の第３係止片３１３は第１ボディ１００ａの係止穴１２１ａに係止され、段落ち部３１４は第１ボディ１００ａの係止凹部１２２ａに係止される。
【００７１】
その後、バックカバー３３０と角筒部３１０のＺ方向の板との間の部分を−Ｚ方向に折り曲げ、バックカバー３３０に開放部を閉塞させる。その後、シェル３００の一対の係止部３４０を折り曲げ、シェル３００の延長部３２０に当接させる。すると、延長部３２０の凸部３２１が係止部３４０の切欠き部３４１に係止される。
【００７２】
上述の通り組み立てられたコネクタは、基板に実装される。具体的には、シェル３００の第１、第２脚部３５０、３６０を基板の対応する第３スルーホール電極に挿入し接続させる。これと共に、テール部２１７ａ、２４４ｂ、２２７ａ、２３４ｂ、２３７ａ、２２４ｂ、２４７ａ、２１４ｂ、２５７ａを基板の対応する第１、第２スルーホール電極に挿入し接続させる。
【００７３】
以下、上記コネクタに相手側コネクタ（ＵＳＢ２．０プラグコネクタ又はＵＳＢ３．０プラグコネクタ）を接続したときの当該コネクタの各部の動作について詳しく説明する。ＵＳＢ２．０プラグコネクタが前記コネクタのスロットに挿入されると、ＵＳＢ２．０プラグコネクタのコンタクトが、第３コンタクト２１０ｂ、２２０ｂ、２３０ｂ、２４０ｂの接点部２１１ｂ、２２１ｂ、２３１ｂ、２４１ｂに各々接触する。すると、第３コンタクト２１０ｂ、２２０ｂ、２３０ｂ、２４０ｂの直線部２１２ｂ、２２２ｂ、２３２ｂ、２４２ｂが−Ｘ方向に弾性変形し、接点部２１１ｂ、２２１ｂ、２３１ｂ、２４１ｂが溝１１２ａ内で−Ｘ方向に変位する。このとき、シェル３００の第１、第２係止片３１１、３１２がＵＳＢ２．０プラグコネクタの凹部に係止される。これにより、ＵＳＢ２．０プラグコネクタが前記コネクタに接続される。
【００７４】
ＵＳＢ２．０プラグコネクタが前記コネクタのスロットから引き抜かれると、第１、第２係止片３１１、３１２とＵＳＢ２．０プラグコネクタの凹部との係止が解除される。直線部２１２ｂ、２２２ｂ、２３２ｂ、２４２ｂがＸ方向に復元し、接点部２１１ｂ、２２１ｂ、２３１ｂ、２４１ｂが溝１１２ａ内でＸ方向に変位する。
【００７５】
ＵＳＢ３．０プラグコネクタが前記コネクタのスロットに挿入されると、ＵＳＢ３．０プラグコネクタのコンタクトが、第１、第２、第４コンタクト２１０ａ、２２０ａ、２３０ａ、２４０ａ、２５０ａの接点部２１１ａ、２２１ａ、２３１ａ、２４１ａ、２５１ａに各々接触する。このとき、シェル３００の第１、第２係止片３１１、３１２がＵＳＢ３．０プラグコネクタの凹部に係止される。これにより、ＵＳＢ３．０プラグコネクタが前記コネクタに接続される。なお、第３コンタクト２１０ｂ、２２０ｂ、２３０ｂ、２４０ｂの直線部２１２ｂ、２２２ｂ、２３２ｂ、２４２ｂがＵＳＢ３．０プラグコネクタに押圧され、−Ｘ方向に弾性変形し、接点部２１１ｂ、２２１ｂ、２３１ｂ、２４１ｂが溝１１２ａ内で−Ｘ方向に変位する。
【００７６】
ＵＳＢ３．０プラグコネクタが前記コネクタのスロットから引き抜かれると、第１、第２係止片３１１、３１２とＵＳＢ３．０プラグコネクタの凹部との係止が解除される。直線部２１２ｂ、２２２ｂ、２３２ｂ、２４２ｂは前記押圧が解除され、Ｘ方向に復元する。接点部２１１ｂ、２２１ｂ、２３１ｂ、２４１ｂは溝１１２ａ内でＸ方向に変位する。
【００７７】
以上のようなコネクタによる場合、第１、第２コンタクト２１０ａ、２２０ａの接点部２１１ａ、２２１ｂが−Ｚ方向に間隔をあけて配置され、第１直線部２１２ａ、２２２ａがＹ方向に延びている。第１折り曲げ部２１３ａ、２２３ａがＸ、Ｙ及び−Ｚ方向に折り曲げられ、中間部２１４ａ、２２４ａがＸ、Ｙ及び−Ｚ方向に延び、第２折り曲げ部が２１５ａ、２２５ａが−Ｚ方向に折り曲げられている。第２直線部２１６ａ、２２６ａは−Ｚ方向に延びており、テール部２１７ａ、２２７ａはＹ方向に間隔をあけて配置されている。第１直線部２２２ａの長さ寸法が、第１直線部２１２ａの長さ寸法よりも大きく、第２直線部２２６ａの長さ寸法が第１直線部２２２ａの長さ寸法と第１直線部２１２ａの長さ寸法との差と略同じ寸法分、第２直線部２１６ａの長さ寸法よりも小さくなっている。このため、全長が略同じである第１、第２コンタクト２１０ａ、２２０ａ全体が略平行に配置することができる。しかも、第１、第２コンタクト２１０ａ、２２０ａの第１直線部２１２ａ、２２２ａ、第１折り曲げ部２１３ａ、２２３ａ、中間部２１４ａ、２２４ａ、第２折り曲げ部２１５ａ、２２５ａ及び第２直線部２１６ａ、２２６ａ間の距離が略同じである。よって、第１、第２コンタクト２１０ａ、２２０ａ間のスキューの発生を低減でき且つ第１、第２コンタクト２１０ａ、２２０ａ間のインピーダンス整合を図ることができる。また、第１、第２コンタクト２４０ａ、２５０ａも、第１、第２コンタクト２１０ａ、２２０ａと同様に、第１、第２コンタクト２４０ａ、２５０ａ間のスキューの発生を低減でき且つ第１、第２コンタクト２４０ａ、２５０ａ間のインピーダンス整合を図ることができる。加えて、第１、第２コンタクト２１０ａ、２２０ａ、２４０ａ、２５０ａは、全体が略平行な形状であるので、一度にプレス成形により作成することができる。よって、第１、第２コンタクト２１０ａ、２２０ａ、２４０ａ、２５０ａを作成するための金型数の低減を図ることができるので、前記コネクタの低コスト化を図ることができる。
【００７８】
また、第２コンタクト２１０ｂの傾斜部２１３ｂが第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａの−Ｚ方向側の近傍に配置されている。一方、シェル３００のバックカバー３３０が第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａのＺ方向側の近傍に配置されている。このため、第１、第２ボディ１００ａ、１００ｂから露出する第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのインピーダンスを下げることができ、第１、第２コンタクト２１０ａ、２２０ａ間及び第１、第２コンタクト２４０ａ、２５０ａ間のインピーダンス整合を図ることができる。
【００７９】
更に、第１、第２、第４コンタクト２１０ａ、２２０ａ、２３０ａ、２４０ａ、２５０ａは、ＵＳＢ３.０の規格に対応した高速デジタル信号伝送用のコンタクトであるのに対し、第３コンタクト２１０ｂ、２２０ｂ、２３０ｂ、２４０ｂは、ＵＳＢ２.０の規格に対応した低速デジタル信号伝送用のコンタクトである。この第３コンタクト２１０ｂ、２２０ｂ、２３０ｂ、２４０ｂが、第１、第２、第４コンタクト２１０ａ、２２０ａ、２３０ａ、２４０ａ、２５０ａの第１直線部２１２ａ、２２２ａ、２３２ａ、２４２ａ、２５２ａと第２直線部２１６ａ、２２６ａ、２３６ａ、２４６ａ、２５６ａとの間の領域に配置されている。よって、第１直線部２１２ａ、２２２ａ、２３２ａ、２４２ａ、２５２ａと第２直線部２１６ａ、２２６ａ、２３６ａ、２４６ａ、２５６ａとの間のクロストークを抑制することができる。しかも、第３コンタクト２１０ｂ、２２０ｂ、２３０ｂ、２４０ｂがデッドスペースである前記領域に配置されることにより、コネクタのＸ及び−Ｘ方向の寸法を低減することができる。
【００８０】
また、第１、第２、第４コンタクト２１０ａ、２２０ａ、２３０ａ、２４０ａ、２５０ａの接点部２１１ａ、２２１ａ、２３１ａ、２４１ａ、２５１ａ及び第１直線部２１２ａ、２２２ａ、２３２ａ、２４２ａ、２５２ａが第１ボディ１００ａに、第２直線部２１６ａ、２２６ａ、２３６ａ、２４６ａ、２５６ａが第２ボディ１００ｂに埋め込まれている。第３コンタクト２１０ｂ、２２０ｂ、２３０ｂ、２４０ｂの傾斜部２１３ｂ、２２３ｂ、２３３ｂ、２４３ｂ及び直線部２１２ｂ、２２２ｂ、２３２ｂ、２４２ｂのＹ方向の端部が第３ボディ１００ｃに埋め込まれている。直線部２１２ｂ、２２２ｂ、２３２ｂ、２４２ｂを第１ボディ１００ａの溝１１２ａに挿入しつつ、第１、第３ボディ１００ａ、１００ｂを組み合わせた後、第１、第２、第４コンタクト２１０ａ、２２０ａ、２３０ａ、２４０ａ、２５０ａの第１折り曲げ部２１３ａ、２２３ａ、２４３ａ、２５３ａ及び第２折り曲げ部２１５ａ、２２５ａ、２４５ａ、２５５ａを折り曲げることにより、第３ボディ１００ｃのプレート１３０ｃが第１ボディ１００ａの後端部１２０ａと第２ボディ１００ｂとの間に挟持される。よって、第３コンタクト２１０ｂ、２２０ｂ、２３０ｂ、２４０ｂを第１直線部２１２ａ、２２２ａ、２３２ａ、２４２ａ、２５２ａと当該第１コンタクト群２００ａの第２直線部２１６ａ、２２６ａ、２３６ａ、２４６ａ、２５６ａとの間の領域に簡単に配置することができる。よって、前記コネクタの組み立てが簡単になる。また、接点部２１１ａ、２２１ａ、２３１ａ、２４１ａ、２５１ａ及び第１直線部２１２ａ、２２２ａ、２３２ａ、２４２ａ、２５２ａが第１ボディ１００ａに、第２直線部２１６ａ、２２６ａ、２３６ａ、２４６ａ、２５６ａが第２ボディ１００ｂに埋め込まれた状態で、第１折り曲げ部２１３ａ、２２３ａ、２４３ａ、２５３ａ及び第２折り曲げ部２１５ａ、２２５ａ、２４５ａ、２５５ａが折り曲げられるので、第１折り曲げ部２１３ａ、２２３ａ、２４３ａ、２５３ａ及び第２折り曲げ部２１５ａ、２２５ａ、２４５ａ、２５５ａの折り曲げにより生じる第１、第２、第４コンタクト２１０ａ、２２０ａ、２３０ａ、２４０ａ、２５０ａのバラツキを抑制することができる。
【００８１】
なお、上述したコネクタは、上記実施例に限定されるものではなく、特許請求の範囲の記載範囲において任意に設計変更することが可能である。以下、詳しく述べる。
【００８２】
上記実施例では、コネクタは、全長が略同じである第１、第２コンタクト２１０ａ、２２０ａと、第４コンタクト２３０ａと、全長が略同じである第１、第２コンタクト２４０ａ、２５０ａとを備えているとした。しかし、コネクタは、少なくとも全長が略同じ第１、第２コンタクトを備えている限り任意に設計変更することが可能である。すなわち、第１、第２コンタクト２１０ａ、２２０ａ及び第１、第２コンタクト２４０ａ、２５０ａの何れか一方は、省略可能である。また、第３コンタクト２３０ｂは省略可能である。
【００８３】
上記実施例では、第１、第２コンタクト２１０ａ、２２０ａの接点部２１１ａ、２２１ａは、第１ボディ１００ａに−Ｚ方向に間隔をあけて埋め込まれているとした。しかし、第１、第２コンタクトの接点部は、−Ｚ方向に間隔をあけて配置されている限り任意に設計変更することが可能である。例えば、後述するように、第１、第２コンタクトの第１直線部が第１ボディの溝又は孔に圧入される場合には、第１、第２コンタクトの接点部が第１ボディの溝又は孔内に収容され、−Ｚ方向に間隔をあけて配置された態様とすることが可能である。
【００８４】
上記実施例では、第１、第２コンタクト２１０ａ、２２０ａの第１直線部２１２ａ、２２２ａは、Ｙ方向に延び且つ第１ボディ１００ａに−Ｚ方向に間隔をあけて埋め込まれているとした。第１、第２コンタクトの第１直線部は、接点部に連続し、Ｙ方向に延び且つ第２コンタクトの第１直線部の長さ寸法が第１コンタクトの第１直線部の長さ寸法よりも大きいものである限り任意に設計変更することが可能である。
【００８５】
上記実施例では、第１、第２コンタクト２１０ａ、２２０ａの第１折り曲げ部２１３ａ、２２３ａは、Ｘ、Ｙ及び−Ｚ方向に折り曲げられているとした。しかし、第１、第２コンタクトの第１折り曲げ部は、第１直線部に連続しており且つＹ方向に直交するＸ方向を含む方向に折り曲げられているものである限り任意に設計変更することが可能である。例えば、第１、第２コンタクトの第１折り曲げ部は、Ｘ方向にのみに、Ｘ、Ｙ及びＺ方向に、Ｘ、−Ｙ及び−Ｚ方向に、又は、Ｘ、−Ｙ及びＺ方向に折り曲げられた形状とすることが可能である。
【００８６】
上記実施例では、第１、第２コンタクト２１０ａ、２２０ａの中間部２１４ａ、２２４ａは、第１折り曲げ部２１３ａ、２２３ａに連続し且つＸ、Ｙ及び−Ｚ方向に直線状に延びているとした。しかし、第１、第２コンタクトの中間部は、第１、第２折り曲げ部に連続し且つ当該第１、第２折り曲げ部間を繋ぐものである限り任意に設計変更することが可能である。例えば、第１、第２コンタクトの中間部は、Ｘ方向にのみに、Ｘ、Ｙ及びＺ方向に、Ｘ、Ｙ及び−Ｚ方向に、Ｘ、−Ｙ及び−Ｚ方向に、又は、Ｘ、−Ｙ及びＺ方向に円弧状に延びた形状とすることが可能である。第１、第２コンタクトの中間部は、Ｘ方向にのみに、Ｘ、Ｙ及びＺ方向に、Ｘ、−Ｙ及び−Ｚ方向に、又は、Ｘ、−Ｙ及びＺ方向に直線状又は円弧状に延びた形状とすることが可能である。
【００８７】
上記実施例では、第１、第２コンタクト２１０ａ、２２０ａの第２折り曲げ部２１５ａ、２２５ａは、中間部２１４ａ、２２４ａに連続し且つ−Ｚ方向に折り曲げられているとした。しかし、第１、第２コンタクトの第２折り曲げ部は、中間部に連続しており且つＹ方向及びＸ方向に直交する−Ｚ方向を含む方向に折り曲げられたものである限り任意に設計変更することが可能である。例えば、第１、第２コンタクトの第２折り曲げ部は、Ｙ及び−Ｚ方向、−Ｙ及び−Ｚ方向、Ｘ、Ｙ及び−Ｚ方向、Ｘ、−Ｙ及び−Ｚ方向、−Ｘ、Ｙ及び−Ｚ方向、−Ｘ、−Ｙ及び−Ｚ方向に延びた構成とすることが可能である。
【００８８】
上記実施例では、第１折り曲げ部２１２ａ、２２２ａ、中間部２１４ａ、２２４ａ及び第２折り曲げ部２１５ａ、２２５ａは、第１、第２ボディ１００ａ、１００ｂから露出しているとした。しかし、第１、第２コンタクトの第１折り曲げ部、中間部及び第２折り曲げ部は、ボディ内に埋め込み又は収容された構成とすることが可能である。また、第１、第２コンタクトの中間部のみ、中間部及び第１折り曲げ部、又は、中間部及び第２折り曲げ部がボディから露出した構成とすることが可能である。
【００８９】
上記実施例では、第１、第２コンタクト２１０ａ、２２０ａの第２直線部２１６ａ、２２６ａは、第２折り曲げ部２１５ａ、２２５ａに連続し且つ−Ｚ方向に延びているとした。しかし、第１、第２コンタクトの第２直線部は、−Ｚ方向を含む方向に延びており且つ第２コンタクトの第２直線部の長さ寸法が第１コンタクトの第２直線部の長さ寸法よりも小さい限り任意に設計変更することが可能である。したがって、第２コンタクトの第２直線部の長さ寸法は、第２コンタクトの第１直線部の長さ寸法と第１コンタクトの第１直線部の長さ寸法との差と略同じ寸法分、第１コンタクトの第２直線部の長さ寸法よりも小さいものに限定されない。
【００９０】
上記実施例では、第１、第２コンタクト２１０ａ、２２０ａのテール部２１７ａ、２２７ａは、第２直線部２１６ａ、２２６ａに連続した板であって、Ｙ方向に間隔をあけて配置されているとした。しかし、第１、第２コンタクトのテール部は、第２直線部に連続し且つＹ方向に間隔をあけて配置されている限り任意に設計変更することが可能である。例えば、テール部は、略Ｌ字状に折り曲げられ、基板表面の電極等に表面実装可能に設計変更することが可能である。
【００９１】
上述した第１、第２コンタクトの第１折り曲げ部は、第１直線部に連続しており且つ前記第１方向に直交する第２方向を含む方向に湾曲した第１湾曲部に置換可能である。上述した第１、第２コンタクトの第２折り曲げ部は、中間部に連続しており且つ前記第１、第２方向に直交する第３方向を含む方向に湾曲した第２湾曲部に置換可能である。この場合、中間部は、第１、第２湾曲部の間に設けられている。第２直線部は第２湾曲部に連続している。なお、段落００８３〜００９１に記載した事項は、第１、第２コンタクト２４０ａ、２５０ａにも適用可能である。上記した第１、第２コンタクトは、差動ペアを構成するものに限定されず、シングルエンド用のコンタクトとすることも可能である。
【００９２】
上記実施例では、第４コンタクト２３０ａは、接点部２３１ａ、第１直線部２３２ａ、第１折り曲げ部２３３ａ、中間部２３４ａ、第２折り曲げ部２３５ａ、第２直線部２３６ａ及びテール部２３７ａを有しているとした。しかし、第４コンタクトの構成は、これに限定されるものではない。第４コンタクトの接点部は、第１、第２コンタクトの接点部と同様に設計変更することが可能である。第４コンタクトの第１直線部は、第１、第２コンタクトの第１直線部と同様に設計変更することが可能である。第４コンタクトの第１折り曲げ部は、第１、第２コンタクトの第１折り曲げ部と同様に設計変更することが可能である。第４コンタクトの中間部は、第１、第２コンタクトの中間部と同様に設計変更することが可能である。第４コンタクトの第２折り曲げ部は、第１、第２コンタクトの第２折り曲げ部と同様に設計変更することが可能である。第４コンタクトの第２直線部は、第１、第２コンタクトの第２直線部と同様に設計変更することが可能である。第４コンタクトのテール部は、第１、第２コンタクトのテール部と同様に設計変更することが可能である。なお、第４コンタクトの第１、第２折り曲げ部は、第１、第２コンタクトと同様に、第１、第２湾曲部に置換することが可能である。
【００９３】
上記実施例では、第３コンタクト２１０ｂ、２２０ｂ、２３０ｂ、２４０ｂは、第１コンタクト群２００ａの第１直線部２１２ａ、２２２ａ、２３２ａ、２４２ａ、２５２ａと当該第１コンタクト群２００ａの第２直線部２１６ａ、２２６ａ、２３６ａ、２４６ａ、２５６ａとの間の領域に配置されているとした。しかし、第３コンタクトは、ボディに保持されており且つ第１、第２コンタクトの第１直線部にＸ又は−Ｘ方向に間隔をあけて略平行に配置されている限り任意に設計変更することが可能である。第３コンタクトが第１、第２コンタクトの第１直線部にＸ又は−Ｘ方向に間隔をあけて略平行に配置された場合、第３コンタクトは第１、第２コンタクトに対するグランドコンタクト又は擬似的なグランドコンタクトとして機能し得るので、第１、第２コンタクト間のインピーダンス整合を図ることができる。なお、第３コンタクトは少なくとも一本あれば良い。
【００９４】
上記実施例では、第３コンタクトは、接点部、直線部、傾斜部及びテール部を備えているとした。しかし、第３コンタクトの形状は任意に設計変更することが可能である。また、上記実施例では、第３コンタクトの直線部は、弾性変形可能であるとしたが、これに限定されるものではない。例えば、第３コンタクトの接点部及び直線部がボディに弾性不能に保持又は埋め込まれた構成とすることが可能である。
【００９５】
上記実施例では、第３コンタクト２１０ｂの傾斜部２１３ｂが第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａの−Ｚ方向側の近傍に配置されているとした。しかし、第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａがボディ内に配置される場合、第３コンタクト２１０ｂの傾斜部２１３ｂが第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａの−Ｚ方向側の近傍に配置されていなくてもよい。なお、第１、第２コンタクトの第１、第２折り曲げ部が、第１、第２湾曲部に置換された場合、上記実施例と同様に、傾斜部が第１湾曲部、中間部及び第２湾曲部の−Ｚ方向側の近傍に配置されるように設計することが可能であり、傾斜部が第１湾曲部、中間部及び第２湾曲部の−Ｚ方向側の近傍に配置されないように設計することが可能である。
【００９６】
また、上記実施例では、Ｄ１、Ｄ２及びＤ３は、第１、第２コンタクト２１０ａ、２２０ａ、２４０ａ、２５０ａの第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのインピーダンスＩ１と、本コネクタに要求される基準インピーダンスＩ２との差に応じて調整されているとした。しかし、Ｄ１、Ｄ２及びＤ３の関係は、これに限定されるものではない。例えば、第３コンタクトの傾斜部が、第１、第２コンタクトの中間部に対して略平行に配置されるだけでも、第１、第２コンタクトの第１折り曲げ部、中間部及び第２折り曲げ部のインピーダンスと、本コネクタに要求される基準インピーダンスとのマッチングを図ることができる。また、第１折り曲げ部２１３ａ、２２３ａ、２３３ａ、２４３ａ、２５３ａ、中間部２１４ａ、２２４ａ、２３４ａ、２４４ａ、２５４ａ及び第２折り曲げ部２１５ａ、２２５ａ、２３５ａ、２４５ａ、２５５ａの形状（例えば、曲げ度合い等）又は、傾斜部２１３ｂの厚み寸法（Ｘ及び−Ｘ方向の寸法）を調整することによっても、第１、第２コンタクトの第１折り曲げ部、中間部及び第２折り曲げ部のインピーダンスと、本コネクタに要求される基準インピーダンスとのマッチングを図ることができる。また、上記実施例では、傾斜部２１３ｂの傾斜面２１３ｂ１が、第３ボディ１００ｃの傾斜面から露出しているとした。しかし、傾斜部は、傾斜面がボディ内に埋め込まれた構成とすることが可能である。また、第１、第２コンタクトの第１、第２折り曲げ部が、第１、第２湾曲部に置換された場合、Ｄ１、Ｄ２及びＤ３の関係を上記実施例と同様に設定することが可能であるし、Ｄ１、Ｄ２及びＤ３の関係を本段落の記載の通り設定することが可能である。なお、上記実施例では、基準インピーダンスＩ２は９０Ω〜１００Ωとしたが、これに限定されるものではない。例えば、第１、第２コンタクトがシングルエンド用のコンタクトである場合、基準インピーダンスは４５Ω〜５０Ωに設定することが可能である。
【００９７】
上記実施例では、ボディ１００は、第１、第２、第３ボディ１００ａ、１００ｂ、１００ｃを有するとした。しかし、ボディは、第１、第２コンタクトを保持し得る絶縁体である限り任意に設計変更することが可能である。また、ボディは、第１、第２コンタクトの接点部及び第１直線部を保持する第１ボディと、第１、第２コンタクトの第２直線部を保持する第２ボディとを有する構成とすることが可能である。この場合、第３コンタクトを省略する、又は、第３コンタクトを第１又は第２ボディに保持させるように設計変更するとよい。
【００９８】
上記実施例では、第１ボディ１００ａに、第１、第２、第４コンタクト２１０ａ、２２０ａ、２３０ａ、２４０ａ、２５０ａの接点部２１１ａ、２２１ａ、２３１ａ、２４１ａ、２５１ａ及び第１直線部２１２ａ、２２２ａ、２３２ａ、２４２ａ、２５２ａが埋め込まれているとした。しかし、第１ボディは、第１、第２コンタクトの第１直線部を保持し得る絶縁体である限り任意に設計変更することが可能である。例えば、第１ボディに設けられた溝又は孔に、第１、第２コンタクトの第１直線部が圧入される態様に設計変更することが可能である。
【００９９】
上記実施例では、第２ボディ１００ｂに、第１、第２、第４コンタクト２１０ａ、２２０ａ、２３０ａ、２４０ａ、２５０ａの第２直線部２１６ａ、２２６ａ、２３６ａ、２４６ａ、２５６ａが第２ボディ１００ｂに埋め込まれているとした。しかし、第２ボディは、第１、第２コンタクトの第２直線部を保持し得る絶縁体である限り任意に設計変更することが可能である。例えば、第２ボディに設けられた溝又は孔に、第１、第２コンタクトの第２直線部が圧入される態様に設計変更することが可能である。
【０１００】
上記実施例では、第３ボディ１００ｃに、第３コンタクト２１０ｂ、２２０ｂ、２３０ｂ、２４０ｂの傾斜部２１３ｂ、２２３ｂ、２３３ｂ、２４３ｂ及び直線部のＹ方向の端部２１２ｂ、２２２ｂ、２３２ｂ、２４２ｂが埋め込まれているとした。しかし、第３ボディは、第３コンタクトの傾斜部を保持し得る絶縁体である限り任意に設計変更することが可能である。例えば、第３ボディに設けられた溝に、第３コンタクトの傾斜部が圧入される態様に設計変更することが可能である。
【０１０１】
上記実施例では、第３ボディ１００ｃのブロック１１０ｃが、第１ボディ１００ａの収容空間αに嵌合し、プレート１３０ｃが第１ボディ１００ａの後端部１２０ａと第２ボディ１００ｂとの間で挟持されるとした。しかし、第３ボディは、第１、第２ボディ間に配置される限り設計変更することが可能である。
【０１０２】
上記実施例では、コネクタはシェル３００を備えているとした。しかし、シェル３００は省略可能である。また、シェルは、導電性を有し且つ第１、第２コンタクト又は第１、第２、第３コンタクトを保持するボディを囲うことができるものである限り任意に設計変更することが可能である。例えば、シェルは、鋳造された金属で構成することが可能である。また、シェルは、絶縁樹脂で構成され、その面上に導電金属が蒸着された構成とすることも可能である。
【０１０３】
上記実施例では、シェル３００のバックカバー３３０が、第１折り曲げ部２１３ａ、２２３ａ、２４３ａ、２５３ａ、中間部２１４ａ、２２４ａ、２４４ａ、２５４ａ及び第２折り曲げ部２１５ａ、２２５ａ、２４５ａ、２５５ａのＺ方向側の近傍に配置され、インピーダンス調整部として機能するとした。しかし、インピーダンス調整部は、シェルの一部であり且つ第１、第２コンタクトの中間部の近傍に配置されるものである限り任意に設計変更することが可能である。
【０１０４】
また、上記コネクタは、第１、第２コンタクトの前記ボディから露出した中間部と前記シェルとの間に設けられた誘電体とを更に備えた構成とすることが可能である。例えば、図７に示すように、第１、第２、第４コンタクト２１０ａ’、２２０ａ’、２３０ａ’、２４０ａ’、２５０ａ’の中間部２１４ａ’、２２４ａ’、２３４ａ’、２４４ａ’、２５４ａ’とバックカバー３３０’との間に第１、第２、第３ボディ１００ａ、１００ｂ、１００ｃと同じ絶縁樹脂で構成された誘電体４００を配置することが可能である。図７中の２１３ａ’、２２３ａ’、２３３ａ’、２４３ａ’、２５３ａ’は第１、第２、第４コンタクトの第１折り曲げ部、２１５ａ’、２２５ａ’、２３５ａ’、２４５ａ’、２５５ａ’は第１、第２、第４コンタクトの第２折り曲げ部、２１３ｂは第３コンタクトの傾斜部、３２０’はシェルの延長部である。
【０１０５】
なお、上記実施例は、コネクタの各部を構成する素材、形状、寸法、数及び配置等はその一例を説明したものであって、同様の機能を実現し得る限り任意に設計変更することが可能である。上記実施例では、コネクタはレセプタクルコネクタであるとした。しかし、コネクタは、テール部又は基板にケーブルを接続してプラグコネクタとすることが可能である。Ｘ及び−Ｘ方向とＹ及び−Ｙ方向とＺ及び−Ｚ方向とは、説明の便宜上付したものであって、上記実施例に限定されるものでない。Ｘ及び−Ｘ方向とＹ及び−Ｙ方向とＺ及び−Ｚ方向は、前記コネクタの任意の方向を設定することが可能である。上述した第１、第２コンタクトはプレス成形されるものに限定されるものではない。例えば、第１、第２コンタクトは鋳造されたものを用いることが可能である。
【符号の説明】
【０１０６】
１００・・・・・ボディ
１００ａ・・・第１ボディ
１１０ａ・・先端部
１２０ａ・・後端部
１３０ａ・・アーム
１００ｂ・・・第２ボディ
１００ｃ・・・第３ボディ
１１０ｃ・・ブロック
１２０ｃ・・舌部
１３０ｃ・・プレート
２００ａ・・・・第１コンタクト群
２１０ａ・・・第１コンタクト
２１１ａ・・接点部
２１２ａ・・第１直線部
２１３ａ・・第１折り曲げ部
２１４ａ・・中間部
２１５ａ・・第２折り曲げ部
２１６ａ・・第２直線部
２１７ａ・・テール部
２２０ａ・・・第２コンタクト
２２１ａ・・接点部
２２２ａ・・第１直線部
２２３ａ・・第１折り曲げ部
２２４ａ・・中間部
２２５ａ・・第２折り曲げ部
２２６ａ・・第２直線部
２２７ａ・・テール部
２３０ａ・・・第４コンタクト
２３１ａ・・接点部
２３２ａ・・第１直線部
２３３ａ・・第１折り曲げ部
２３４ａ・・中間部
２３５ａ・・第２折り曲げ部
２３６ａ・・第２直線部
２３７ａ・・テール部
２４０ａ・・・第１コンタクト
２４１ａ・・接点部
２４２ａ・・第１直線部
２４３ａ・・第１折り曲げ部
２４４ａ・・中間部
２４５ａ・・第２折り曲げ部
２４６ａ・・第２直線部
２４７ａ・・テール部
２５０ａ・・・第２コンタクト
２５１ａ・・接点部
２５２ａ・・第１直線部
２５３ａ・・第１折り曲げ部
２５４ａ・・中間部
２５５ａ・・第２折り曲げ部
２５６ａ・・第２直線部
２５７ａ・・テール部
２００ｂ・・・・第２コンタクト群
２１０ｂ〜２４０ｂ・・第３コンタクト
２１１ｂ〜２４１ｂ・接点部
２１２ｂ〜２４２ｂ・直線部
２１３ｂ〜２４３ｂ・傾斜部
２１４ｂ〜２４４ｂ・テール部
３００・・・・・シェル
３１０・・・・角筒部
３２０・・・・延長部
３３０・・・・バックカバー（インピーダンス調整部）
３４０・・・・係止部
３５０・・・・第１脚部
３６０・・・・第２脚部
【図１Ａ】
0005802561.tif 000002
【図１Ｂ】
0005802561.tif 000003
【図１Ｃ】
0005802561.tif 000004
【図１Ｄ】
0005802561.tif 000005
【図２Ａ】
0005802561.tif 000006
【図２Ｂ】
0005802561.tif 000007
【図３Ａ】
0005802561.tif 000008
【図３Ｂ】
0005802561.tif 000009
【図４Ａ】
0005802561.tif 000010
【図４Ｂ】
0005802561.tif 000011
【図５Ａ】
0005802561.tif 000012
【図５Ｂ】
0005802561.tif 000013
【図５Ｃ】
0005802561.tif 000014
【図５Ｄ】
0005802561.tif 000015
【図５Ｅ】
0005802561.tif 000016
【図５Ｆ】
0005802561.tif 000017
【図５Ｇ】
0005802561.tif 000018
【図６Ａ】
0005802561.tif 000019
【図６Ｂ】
0005802561.tif 000020
【図６Ｃ】
0005802561.tif 000021
【図７】
0005802561.tif 000022